(57)【要約】【課題】  指定されているコンテンツを視聴できる情報を作成する装置および方法を提供する。【解決手段】  コンテンツ指定指示装置１は、コンテンツ指定指示１０に基づいてコンテンツを指定し、指定されたコンテンツの情報１１を視聴コンテンツ管理手段から取得し、取得されたコンテンツの情報に基づいてコンテンツ指定情報１２を作成し、コンテンツ視聴指示装置２に送信する。【選択図】        図１
2005348365.tif 000002
【特許請求の範囲】
【請求項１】
コンテンツを制御するコンテンツ制御手段と、
前記コンテンツ制御手段によって制御され、ユーザが視聴したコンテンツまたは視聴しているコンテンツを管理する視聴コンテンツ管理手段と、
前記視聴コンテンツ管理手段にて管理されているコンテンツの中からコンテンツを指定するユーザによる指定指示を受け付けるユーザ指示入力受付手段と、
前記ユーザ指示入力受付手段で受け付けたコンテンツ指定指示に基づいて、指定されたコンテンツを指定する情報を作成するコンテンツ指定情報作成手段とを備えることを特徴とする、コンテンツ指定指示装置。
【請求項２】
前記ユーザ指示入力受付手段は、前記コンテンツ指定指示装置にて将来視聴可能なコンテンツまたは視聴が予定されているコンテンツの指定指示を受け付ける手段をさらに備えることを特徴とする、請求項１に記載のコンテンツ指定指示装置。
【請求項３】
前記ユーザ指示入力受付手段は、前記指定されたコンテンツのうち一部分または複数部分をさらに指定する情報をさらに受け付け、前記コンテンツ指定情報作成手段は、前記ユーザ指示に基づいて、前記指定されたコンテンツの一部分または複数部分をさらに指定するコンテンツ指定情報を作成する手段をさらに備えることを特徴とする、請求項１または請求項２に記載のコンテンツ指定指示装置。
【請求項４】
前記コンテンツ指定情報作成手段は、前記指定されたコンテンツの一部分または複数部分を指定するために、前記コンテンツ指定情報に一つまたは複数の時間情報を含める手段をさらに備えることを特徴とする、請求項３に記載のコンテンツ指定指示装置。
【請求項５】
前記コンテンツ指定情報に含める時間情報は、ある一瞬を特定する時間情報、または、ある期間を特定する時間情報であることを特徴とする請求項４に記載のコンテンツ指定指示装置。
【請求項６】
さらに、時刻を計測する時刻計測手段を備え、
前記コンテンツ指定情報作成手段は、前記指定されたコンテンツの一部または複数部分を指定するために、前記時刻計測手段にて計測した時刻情報を前記コンテンツ指定情報に含める時間情報とすることを特徴とする、請求項３から請求項５のいずれかに記載のコンテンツ指定指示装置。
【請求項７】
さらに、
コンテンツを蓄積するコンテンツ蓄積手段と、
前記コンテンツ蓄積手段にて蓄積しているコンテンツの情報を記憶するコンテンツ蓄積情報記憶手段とを備え、
前記指定指示によって指定されたコンテンツが蓄積コンテンツであった場合、前記コンテンツ指定情報作成手段は、前記コンテンツ蓄積情報記憶手段にて記憶されている蓄積時絶対時間と、前記指定指示が行われたときの前記蓄積コンテンツの再生位置に基づいてコンテンツ指定情報を作成する手段をさらに備えることを特徴とする、請求項３から請求項６のいずれかに記載のコンテンツ指定指示装置。
【請求項８】
前記コンテンツ蓄積情報記憶手段にて記憶されている蓄積時絶対時間と、前記コンテンツ指定指示が行われたときの前記蓄積コンテンツの再生位置に基づいてコンテンツ指定情報を作成するとき、ボタン押下仮定時刻を算出し、前記指定されたコンテンツの一部または複数部分を指定する時間情報とすることを特徴とする、請求項７に記載のコンテンツ指定指示装置。
【請求項９】
前記コンテンツの一部または複数部分を指定するコンテンツ指定情報を作成する場合、前記コンテンツ指定情報作成手段は、前記コンテンツ蓄積手段に蓄積した前記指定されたコンテンツの再生を、前記コンテンツ制御手段に指示することを特徴とする、請求項８に記載のコンテンツ指定指示装置。
【請求項１０】
前記コンテンツ指定指示によってコンテンツが指定されたときに、前記コンテンツ指定情報作成手段は、さらにコンテンツの一部または複数部分を指定するかどうかユーザに問い合わせることを特徴とする、請求項１から請求項９のいずれかに記載のコンテンツ指定指示装置。
【請求項１１】
さらに、コンテンツに関する情報を取得する番組情報取得手段を備え、
前記コンテンツ指定情報作成手段は、前記コンテンツ指定情報作成時に、前記番組情報取得手段を用いて、指定するコンテンツに関する番組情報を取得し、前記コンテンツ指定情報に付加することを特徴とする、請求項１から請求項１０のいずれかに記載のコンテンツ指定指示装置。
【請求項１２】
さらに、前記コンテンツ指定情報を含めたメッセージを作成するメッセージ作成手段を備え、
前記メッセージ作成手段は、前記コンテンツ指定情報作成手段によって作成されたコンテンツ指定情報を含めた、転送可能なメッセージを作成することを特徴とする、請求項１から請求項１１のいずれかに記載のコンテンツ指定指示装置。
【請求項１３】
前記コンテンツ指定情報作成手段は、コンテンツ指定情報に位置情報を付与する手段をさらに備えることを特徴とする、請求項１から請求項１２のいずれかに記載のコンテンツ指定指示装置。
【請求項１４】
コンテンツ蓄積手段に記憶された蓄積コンテンツに基づいてコンテンツ指定情報を作成するとき、前記コンテンツ指定情報作成手段は、前記蓄積コンテンツの蓄積時の場所を示す位置情報を、コンテンツ指定情報に付与する位置情報とすることを特徴とする、請求項１３に記載のコンテンツ指定指示装置。
【請求項１５】
さらに、位置情報を取得する自位置情報取得手段を備え、
前記コンテンツ蓄積手段は、コンテンツを蓄積するときに、前記自位置情報取得手段にて取得した位置情報を、コンテンツ蓄積情報記憶手段に記憶することを特徴とする、請求項１３または請求項１４に記載のコンテンツ指定指示装置。
【請求項１６】
前記コンテンツ指定情報作成手段は、前記自位置情報取得手段にて取得した自位置情報を、前記コンテンツ指定情報に付与する位置情報として使用することを特徴とする、請求項１５に記載のコンテンツ指定指示装置。
【請求項１７】
さらに、前記コンテンツ指定情報を送信する先を記憶するコンテンツ指定情報送信先記憶手段を備え、
前記コンテンツ指定情報送信先記憶手段では、送信先アドレスに加え、送信先の位置情報をさらに記憶し、前記コンテンツ指定情報作成手段は、送信するコンテンツ指定情報を、送信先の位置情報に基づいて、送信先の位置情報に基づいたコンテンツ指定情報へ変換し、変換した結果取得したコンテンツ指定情報を送信先へ送信するコンテンツ指定情報とすることを特徴とする、請求項１から請求項１６のいずれかに記載のコンテンツ指定指示装置。
【請求項１８】
前記コンテンツ指定情報の変換は、地域別の番組情報を管理するサーバに対して、コンテンツ指定情報を変換する要求を送信し、変換結果を前記サーバより受信することによって行うことを特徴とする、請求項１７に記載のコンテンツ指定指示装置。
【請求項１９】
コンテンツを制御するコンテンツ制御ステップと、
前記コンテンツ制御ステップによって制御され、ユーザが視聴したコンテンツまたは視聴しているコンテンツを管理する視聴コンテンツ管理ステップと、
前記視聴コンテンツ管理ステップにて管理されているコンテンツの中からコンテンツを指定するユーザによる指定指示を受け付けるユーザ指示入力受付ステップと
前記ユーザ指示入力受付ステップで受け付けたコンテンツ指定指示に基づいて指定されたコンテンツを指定する情報を作成するコンテンツ指定情報作成ステップとを備えることを特徴とする、コンテンツ指定方法。
【請求項２０】
前記ユーザ指示入力受付ステップは、前記指定されたコンテンツのうち一部分または複数部分をさらに指定する情報をさらに受け付け、前記コンテンツ指定情報作成ステップは、前記ユーザ指示に基づいて、前記指定されたコンテンツの一部分または複数部分をさらに指定するコンテンツ指定情報を作成することを特徴とする、請求項１９に記載のコンテンツ指定方法。
【請求項２１】
前記コンテンツ指定情報作成ステップは、前記指定されたコンテンツの一部分または複数部分を指定するために、コンテンツ指定情報に一つまたは複数の時間情報を含めることを特徴とする、請求項２０に記載のコンテンツ指定方法。
【請求項２２】
さらに、時刻を計測する時刻計測ステップを備え、
前記コンテンツ指定情報作成ステップは、前記時刻計測ステップにて計測した時刻情報を、前記指定されたコンテンツの一部または複数部分を指定するための時間情報として使用することを特徴とする、請求項１９から請求項２１のいずれかに記載のコンテンツ指定方法。
【請求項２３】
前記コンテンツ指定指示によって指定されたコンテンツが、コンテンツ蓄積装置に記憶された蓄積コンテンツであった場合、前記コンテンツ指定情報作成ステップは、コンテンツ蓄積装置に記憶されている蓄積時絶対時間と、前記コンテンツ指定指示が行なわれたときの前記蓄積コンテンツの再生位置に基づいてコンテンツ指定情報を作成することを特徴とする、請求項１９から請求項２２のいずれかに記載のコンテンツ指定方法。
【請求項２４】
さらに、コンテンツに関する情報を取得する番組情報取得ステップを備え、
前記コンテンツ指定情報作成ステップは、前記コンテンツ指定情報作成時に、前記番組情報取得ステップを用いて、指定するコンテンツに関する番組情報を取得し、前記コンテンツ指定情報に付加することを特徴とする、請求項１９から請求項２３のいずれかに記載のコンテンツ指定方法。
【請求項２５】
さらに、前記コンテンツ指定情報を含めたメッセージを作成するメッセージ作成ステップを備え、
前記メッセージ作成ステップは、前記コンテンツ指定情報作成ステップによって作成されたコンテンツ指定情報を含めた、転送可能なメッセージを作成することを特徴とする、請求項１９から請求項２４のいずれかに記載のコンテンツ指定方法。
【請求項２６】
前記コンテンツ指定情報作成ステップは、コンテンツ指定情報に位置情報を付与することを特徴とする、請求項１９から請求項２５のいずれかに記載のコンテンツ指定方法。
【請求項２７】
コンテンツ蓄積装置に記憶された蓄積コンテンツに基づいてコンテンツ指定情報を作成するとき、前記コンテンツ指定情報作成ステップは、前記蓄積コンテンツの蓄積時の場所を示す位置情報を、コンテンツ指定情報に付与する位置情報とすることを特徴とする、請求項２６に記載のコンテンツ指定方法。
【請求項２８】
さらに、位置情報を取得する自位置情報取得ステップを備え、
コンテンツを蓄積するときに、前記自位置情報取得ステップにて取得した位置情報を、コンテンツ蓄積情報記憶装置に記憶するステップをさらに備えることを特徴とする、請求項１９から請求項２７のいずれかに記載のコンテンツ指定方法。
【請求項２９】
前記コンテンツ指定情報作成ステップは、前記コンテンツ指定情報に付与する位置情報に、前記自位置情報取得ステップにて取得した自位置情報を使用することを特徴とする、請求項２８に記載のコンテンツ指定方法。
【請求項３０】
前記コンテンツ指定情報作成ステップは、コンテンツ指定情報を送信する送信先の位置情報に基づいて、送信先の位置情報に基づいたコンテンツ指定情報を作成することを特徴とする、請求項１９から請求項２９のいずれかに記載のコンテンツ指定方法。
【請求項３１】
前記コンテンツ指定情報の作成は、地域別の番組情報を管理するサーバに対して、コンテンツ指定情報を変換する要求を送信し、変換結果を前記サーバより受信することによって行なうことを特徴とする、請求項３０に記載のコンテンツ指定方法。
【請求項３２】
コンテンツを制御するコンテンツ制御ステップと、
前記コンテンツ制御ステップによって制御され、ユーザが視聴したコンテンツまたは視聴しているコンテンツを管理する視聴コンテンツ管理ステップと、
前記視聴コンテンツ管理ステップにて管理されているコンテンツの中からコンテンツを指定するユーザによる指定指示を受け付けるユーザ指示入力受付ステップと
前記ユーザ指示入力受付ステップで受け付けたコンテンツ指定指示に基づいて指定されたコンテンツを指定する情報を作成するコンテンツ指定情報作成ステップと、
前記コンテンツ指定情報を作成するに先立ち、コンテンツに関する情報を取得する番組情報取得ステップと、
前記コンテンツ指定情報作成ステップで作成したコンテンツ指定情報を含めたメッセージを作成するメッセージ作成ステップと、
位置情報を取得する自位置情報取得ステップとを、コンピュータに実行させるためのプログラム。
【請求項３３】
請求項３２に記載のプログラムを記録した、コンピュータ読み取り可能な記録媒体。
【発明の詳細な説明】
【技術分野】
【０００１】
本発明は、コンテンツ指定指示装置およびコンテンツ指定方法に関し、特に、コンテンツを特定する情報を送信するコンテンツ指定指示装置およびコンテンツ指定方法に関する。
【背景技術】
【０００２】
従来のテレビ番組の予約において、視聴者は、雑誌や新聞などに掲載された番組表を参照することにより放送チャンネルと放送時刻を手動入力したり、もしくはＧコード（登録商標）を入力することによって視聴予約および録画予約を行っていた。
【０００３】
以下の特許文献１においては、ユーザが携帯電話やリモコンなどの操作指示端末を用いて番組表の情報を取得し、同操作指示端末上に表示された番組表を閲覧し、予約したい番組を選ぶと、操作指示端末が予約操作を代行してくれるシステムが開示されている。
【特許文献１】特開２０００−１３６９７号公報
【発明の開示】
【発明が解決しようとする課題】
【０００４】
「この番組は面白いよ」という情報を友人に伝えるためには、まず番組を指定する情報を作成し、次に番組を指定する情報を送信する、という二つのステップを踏む必要がある。
【０００５】
しかしながら、「この番組は面白いよ」という番組の視聴に関する情報を簡単に友人に伝えたい場合であっても、特許文献１ならびに従来技術に挙げた方法では、伝えたい側のユーザが新聞や雑誌などの紙媒体あるいは電子的な番組表をわざわざ参照してから、番組に関する情報を取得し、メールなどの通信媒体を用いて伝えたい相手に送信する必要がある。たとえ、目の前でまさに視聴している、視聴していた番組について伝えたいと思うだけであっても、番組を特定するために、上記のような、電子番組表の参照などを行わなくてはならない。また、「明日の９時から８チャンネル見て」のような平文を手動で入力してもよいが、目の前で視聴している番組を伝えたいだけであるのに、煩雑な文字入力を強いられることになる。つまり、番組を指定する情報を作成するステップが最も煩雑な作業であると捉えることができ、この作業を軽減することで、ユーザにとっての利便性が向上すると考えられる。
【０００６】
本発明は、上記課題に基づいて創案したものであり、コンテンツを指定する情報の作成を簡単化し、他人に教えることができるコンテンツ指定指示装置ならびにコンテンツ指定方法を提供することを目的としている。
【課題を解決するための手段】
【０００７】
上記の目的を達成するために、本発明に係るコンテンツ指定指示装置は、コンテンツを制御するコンテンツ制御手段と、前記コンテンツ制御手段によって制御され、ユーザが視聴したコンテンツまたは視聴しているコンテンツを管理する視聴コンテンツ管理手段と、前記視聴コンテンツ管理手段にて管理されているコンテンツの中からコンテンツを指定するユーザによる指定指示を受け付けるユーザ指示入力受付手段と、前記ユーザ指示入力受付手段で受け付けたコンテンツ指定指示に基づいて指定されたコンテンツを指定する情報を作成するコンテンツ指定情報作成手段と、を備えることを特徴とする。
【０００８】
さらに、前記ユーザ指示入力受付手段は、該コンテンツ指定指示装置にて将来視聴可能なコンテンツまたは視聴が予定されているコンテンツの指定指示を受け付ける手段を備える。
【０００９】
これにより、ユーザはコンテンツを指定する指示を出すだけで前記コンテンツ指定情報を作成することができる。
【００１０】
さらに、前記ユーザ指示入力受付手段は、前記指定されたコンテンツのうち一部分または複数部分をさらに指定する情報をさらに受け付け、前記コンテンツ指定情報作成手段は、前記ユーザ指示に基づいて、前記指定されたコンテンツの一部分または複数部分をさらに指定するコンテンツ指定情報を作成する。
【００１１】
これにより、コンテンツの中のさらに一部分または複数部分を指定する情報を含めたコンテンツ指定情報を作成することができる。
【００１２】
さらに、前記コンテンツ指定情報作成手段は、前記指定されたコンテンツの一部分または複数部分を指定するために、コンテンツ指定情報に一つまたは複数の時間情報を含める。
【００１３】
これにより、前記コンテンツの中の一部分または複数部分を時間情報によって指定することができる。
【００１４】
さらに、前記時間情報を、ある一瞬を特定する時間情報、または、ある期間を特定する時間情報とする。
【００１５】
これにより、前記コンテンツの中の一部分または複数部分は、ある一瞬を用いても、ある期間を用いても指定することができる。
【００１６】
さらに、前記コンテンツ指定情報作成手段は、前記指定されたコンテンツの一部または複数部分を指定するために、前記時刻計測手段にて計測した時刻情報をコンテンツ指定情報に含める時間情報とする。
【００１７】
これにより、前記コンテンツの中の一部分または複数部分を特に指定しなくとも、前記計測した時刻情報を用いて簡単に指定することができる。
【００１８】
さらに、コンテンツを蓄積するコンテンツ蓄積手段と、前記コンテンツ蓄積手段にて蓄積しているコンテンツの情報を記憶するコンテンツ蓄積情報記憶手段を備え、前記コンテンツ指定指示によって指定されたコンテンツが蓄積コンテンツであった場合、前記コンテンツ指定情報作成手段は、前記コンテンツ蓄積情報記憶手段にて記憶されている蓄積時絶対時間と、前記コンテンツ指定指示が行われたときの前記蓄積コンテンツの再生位置に基づいてコンテンツ指定情報を作成する。
【００１９】
これにより、蓄積しているコンテンツの情報に基づいてコンテンツ指定情報を作成することができる。
【００２０】
さらに、前記コンテンツ蓄積情報記憶手段にて記憶されている蓄積時絶対時間と、前記コンテンツ指定指示が行われたときの前記蓄積コンテンツの再生位置に基づいてコンテンツ指定情報を作成するとき、特に、ボタン押下仮定時刻を算出する手段をさらに備え、前記指定されたコンテンツの一部または複数部分を指定する時間情報とする。
【００２１】
これにより、コンテンツ指定情報を受け取った側で、コンテンツ指定情報に基づいてコンテンツを視聴する際、蓄積時絶対時間と再生位置に基づいて、コンテンツ中のどこを指定されているか再計算する手間を省くことができる。
【００２２】
さらに、前記コンテンツの一部または複数部分を指定するとユーザが返答した場合、前記コンテンツ指定情報作成部は、前記コンテンツ蓄積手段に蓄積した前記指定されたコンテンツの再生を、前記コンテンツ制御部に指示する。
【００２３】
これにより、コンテンツに対して、再度、コンテンツの中の一部または複数部分を指定するコンテンツ指定情報を作成する機会をユーザに与えることができる。
【００２４】
さらに、前記コンテンツ指定指示によってコンテンツが指定されると、前記コンテンツ指定情報作成部は、さらにコンテンツの一部または複数部分を指定するかどうかユーザに問い合わせる。
【００２５】
これにより、コンテンツを指定したいのか、またはコンテンツの中の部分を指定したいのか、ユーザに選択肢を与えることができる。
【００２６】
さらに、コンテンツに関する情報を取得する番組情報取得手段を備え、前記コンテンツ指定情報作成手段は、前記コンテンツ指定情報作成時に、前記番組情報取得手段を用いて、指定するコンテンツに関する番組情報を取得し、前記コンテンツ指定情報に付加する。
【００２７】
これにより、ユーザが指定したコンテンツに関する情報だけでなく、コンテンツを提供する側の情報をコンテンツ指定情報に含めることができる。
【００２８】
さらに、前記コンテンツ指定情報を含めたメッセージを作成するメッセージ作成手段を備え、前記メッセージ作成部は、前記コンテンツ指定情報作成手段によって作成されたコンテンツ指定情報を含めた、転送可能なメッセージを作成する。
【００２９】
これにより、メッセージという形で、転送することができる。
【００３０】
さらに、前記コンテンツ指定情報作成部は、コンテンツ指定情報に位置情報を付与する。
【００３１】
これにより、コンテンツ指定情報を導き出した位置を特定することができる。
【００３２】
さらに、前記コンテンツ蓄積手段に記憶された蓄積コンテンツに基づいてコンテンツ指定情報を作成するとき、前記コンテンツ指定情報作成部は、前記蓄積コンテンツの蓄積時の場所を示す位置情報を、コンテンツ指定情報に付与する位置情報とする。
【００３３】
これにより、コンテンツを蓄積する位置がコンテンツごとに違っていても、正しいコンテンツ指定情報を作成することができる。
【００３４】
さらに、位置情報を取得する自位置情報取得手段を備え、前記コンテンツ蓄積手段は、コンテンツを蓄積するときに、前記自位置情報取得手段にて取得した位置情報を、前記コンテンツ蓄積情報記憶手段に記憶する。
【００３５】
これにより、自位置をコンテンツ指定情報に反映させ、前記コンテンツ蓄積手段に蓄積したコンテンツごとに、どこで蓄積されたかを記憶することができる。
【００３６】
さらに、前記コンテンツ指定情報作成部は、前記コンテンツ指定情報に付与する位置情報に、前記自位置情報取得手段にて取得した自位置情報を使用する。
【００３７】
これにより、コンテンツ指定情報を決定付けた位置を明記することができる。
【００３８】
さらに、前記コンテンツ指定情報を送信する先を記憶するコンテンツ指定情報送信先記憶手段を備え、前記コンテンツ指定情報送信先記憶手段では、送信先アドレスに加え、送信先の位置情報を記憶し、前記コンテンツ指定情報作成手段は、送信先の位置情報に基づいて、送信先の位置情報に基づいたコンテンツ指定情報へ変換し、変換結果をコンテンツ指定情報とする。
【００３９】
これにより、コンテンツ指定情報を受け取った側で、コンテンツ指定情報を変換する手間を省くことができる。
【００４０】
さらに、前記コンテンツ指定情報の変換は、地域別の番組情報を管理するサーバに対して、コンテンツ指定情報を変換する要求を送信し、変換結果を前記サーバより受信することによって行う。
【００４１】
これにより、コンテンツ指定情報の変換に必要な情報をコンテンツ指定指示装置内に保持する必要を省くことができる。
【００４２】
また、通信により情報を送信するコンテンツ指定指示方法を、コンテンツを制御するコンテンツ制御ステップと、前記コンテンツ制御ステップによって制御され、ユーザが視聴したコンテンツまたは視聴しているコンテンツを管理する視聴コンテンツ管理ステップと、前記視聴コンテンツ管理ステップにて管理されているコンテンツの中からコンテンツを指定するユーザによる指定指示を受け付けるユーザ指示入力受付ステップと前記ユーザ指示入力受付ステップで受け付けたコンテンツ指定指示に基づいて指定されたコンテンツを指定する情報を作成するコンテンツ指定情報作成ステップと、を備えるコンテンツ指定指示方法とする。
【００４３】
これにより、ユーザはコンテンツを指定する指示を出すだけで前記コンテンツ指定情報を作成することができる。
【００４４】
さらに、前記ユーザ指示入力受付ステップは、前記指定されたコンテンツのうち一部分または複数部分をさらに指定する情報をさらに受け付け、前記コンテンツ指定情報作成ステップは、前記ユーザ指示に基づいて、前記指定されたコンテンツの一部分または複数部分をさらに指定するコンテンツ指定情報を作成する。
【００４５】
これにより、コンテンツの中のさらに一部分または複数部分を指定する情報を含めたコンテンツ指定情報を作成することができる。
【００４６】
さらに、前記コンテンツ指定情報作成ステップは、前記指定されたコンテンツの一部分または複数部分を指定するために、コンテンツ指定情報に一つまたは複数の時間情報を含める。
【００４７】
これにより、前記コンテンツの中の一部分または複数部分を時間情報によって指定することができる。
【００４８】
さらに、時刻を計測する時刻計測ステップを備え、前記コンテンツ指定情報作成ステップは、前記指定されたコンテンツの一部または複数部分を指定するための時間情報に、前記時刻計測ステップにて計測した時刻情報を使用する。
【００４９】
これにより、前記コンテンツの中の一部分または複数部分を特に指定しなくとも、前記計測した時刻情報を用いて簡単に指定することができる。
【００５０】
さらに、前記コンテンツ指定指示によって指定されたコンテンツが、コンテンツ蓄積装置に記憶された蓄積コンテンツであった場合、前記コンテンツ指定情報作成手段は、コンテンツ蓄積装置に記憶されている蓄積時絶対時間と、前記コンテンツ指定指示が行なわれたときの前記蓄積コンテンツの再生位置に基づいてコンテンツ指定情報を作成する。
【００５１】
これにより、蓄積しているコンテンツの情報に基づいてコンテンツ指定情報を作成することができる。
【００５２】
さらに、コンテンツに関する情報を取得する番組情報取得ステップを備え、前記コンテンツ指定情報作成ステップは、前記コンテンツ指定情報作成時に、前記番組情報取得ステップを用いて、指定するコンテンツに関する番組情報を取得し、前記コンテンツ指定情報に付加する。
【００５３】
これにより、ユーザが指定したコンテンツに関する情報だけでなく、コンテンツを提供する側の情報をコンテンツ指定情報に含めることができる。
【００５４】
さらに、前記コンテンツ指定情報を含めたメッセージを作成するメッセージ作成ステップを備え、前記メッセージ作成ステップは、前記コンテンツ指定情報作成ステップによって作成されたコンテンツ指定情報を含めた、転送可能なメッセージを作成する。
【００５５】
これにより、メッセージという形で、転送することができる。
【００５６】
さらに、前記コンテンツ指定情報作成ステップは、コンテンツ指定情報に位置情報を付与する。
【００５７】
これにより、コンテンツ指定情報を導き出した位置を特定することができる。
【００５８】
さらに、コンテンツ蓄積装置に記憶された蓄積コンテンツに基づいてコンテンツ指定情報を作成するとき、前記コンテンツ指定情報作成ステップは、前記蓄積コンテンツの蓄積時の場所を示す位置情報を、コンテンツ指定情報に付与する位置情報とする。
【００５９】
これにより、コンテンツを蓄積する位置がコンテンツごとに違っていても、正しいコンテンツ指定情報を作成することができる。
【００６０】
さらに、位置情報を取得する自位置情報取得ステップを備え、コンテンツ蓄積にコンテンツを蓄積するときに、前記自位置情報取得ステップにて取得した位置情報を、コンテンツ蓄積情報記憶装置に記憶するステップをさらに備える。
【００６１】
これにより、自位置をコンテンツ指定情報に付与する位置情報とすることができる。
【００６２】
さらに、前記コンテンツ指定情報作成ステップは、前記コンテンツ指定情報に付与する位置情報に、前記自位置情報取得ステップにて取得した自位置情報を使用する。
【００６３】
これにより、コンテンツ指定情報を決定付けた位置を明記することができる。
【００６４】
さらに、前記コンテンツ指定情報作成ステップは、コンテンツ指定情報を送信する送信先の位置情報に基づいて、送信先の位置情報に基づいたコンテンツ指定情報へ変換し、変換結果をコンテンツ指定情報とする。
【００６５】
これにより、コンテンツ指定情報を受け取った側で、コンテンツ指定情報を変換する手間を省くことができる。
【００６６】
さらに、前記コンテンツ指定情報の変換は、地域別の番組情報を管理するサーバに対して、コンテンツ指定情報を変換する要求を送信し、変換結果を前記サーバより受信することによって行なう。
【００６７】
これにより、コンテンツ指定情報の変換に必要な情報をコンテンツ指定指示装置内に保持する必要を省くことができる。  
【００６８】
なお、本願では、メールやＷＷＷ（Ｗｏｒｌｄ  Ｗｉｄｅ  Ｗｅｂ）のホームページやインターネット配信、地上波放送、衛星放送、アナログ放送、デジタル放送、これら放送に含まれる一つ以上のシーン、などのマルチメディア情報を総称して「コンテンツ」とし、特に、メールやホームページやＩＭ（Ｉｎｓｔａｎｔ  Ｍｅｓｓｅｎｇｅｒ）などコンテンツ指定情報を含めた通信可能な電子的媒体を「メッセージ」と呼ぶことに、また、コンテンツを指定するための情報を「コンテンツ指定情報」とする。さらに、コンテンツ提供者である放送局やＩＳＰ（Ｉｎｔｅｒｎｅｔ  Ｓｅｒｖｉｃｅ  Ｐｒｉｖｉｄｅｒ）などが提供するコンテンツのタイトル、シーンの名前、提供開始時間（放送開始時間）、および提供終了時間（放送終了時間）など、本願のコンテンツ指定指示装置１、コンテンツ視聴指示装置２、およびコンテンツ情報サーバ３の操作とは関係なくコンテンツ提供者側で決められるコンテンツの情報を、「コンテンツ情報」または「番組情報」とする。
【発明の効果】
【００６９】
以上に示したような手段を用いることによって、簡単な操作で相手にコンテンツを指定する情報を作成し、教えることができる装置または方法を提供することができる。
【発明を実施するための最良の形態】
【００７０】
以下、図面を用いて本発明の具体的な実施の形態を示す。
【００７１】
（第１の実施の形態）
図１は、本発明の第１の実施の形態におけるコンテンツ指定指示装置と、コンテンツ視聴指示装置とからなるシステムの構成を示す図である。
【００７２】
図１に示したとおり、コンテンツ指定指示装置１とコンテンツ視聴指示装置２はネットワーク０を通じて互いに通信を行う。
【００７３】
ユーザは、コンテンツ指定指示装置１を用いてコンテンツを視聴し、他の人に勧めたいコンテンツを見ているときに「情報送信」ボタン１０を押下する。コンテンツ指定指示装置１は、この「情報送信」ボタン１０の押下を受け、見ていたコンテンツが何であるかを表示画面１１に示すように特定し、他の機械においてもそのコンテンツを特定できるような情報（以下、「コンテンツ指定情報」という。）を生成する。その後、コンテンツ指定指示装置１は自動的に、この生成されたコンテンツ指定情報を含んだメッセージ１２を作成し、ネットワーク０を通じてコンテンツ視聴指示装置２に送信する。コンテンツ視聴指示装置２は、コンテンツ指定情報が含まれたメッセージを受信したとき、もしくはユーザからコンテンツ視聴指示を受けたとき、コンテンツ指定情報によって指定されたコンテンツの視聴が開始されるようコンテンツの再生を行なう。
【００７４】
コンテンツ指定情報は、コンテンツを指定するための情報である。本明細書中では主に、コンテンツ指定情報は、コンテンツが配信されるチャンネル（コンテンツ指定チャンネル）と、コンテンツ指定情報を送る側が指定するコンテンツの時間（コンテンツ指定時間）とから構成されることとする。「チャンネル」は、従来の地上波放送の番組を提供するチャンネル以外にも、衛星放送、地上波や衛星のデジタル放送を提供するチャンネル、ラジオ放送のチャンネル、ＷＷＷのホームページであればその所在を表すＵＲＬ（Ｕｎｉｆｏｒｍ  Ｒｅｓｏｕｒｃｅ Ｌｏｃａｔｏｒ）やＵＲＩ（Ｕｎｉｆｏｒｍ  Ｒｅｓｏｕｒｃｅ  Ｉｄｅｎｔｉｆｉｅｒｓ）、ビデオ、ＤＶＤ（Ｄｉｇｉｔａｌ  Ｖｅｒｓａｔｉｌｅ  Ｄｉｓｋ）などの記憶媒体など、コンテンツの所在を示すもの一般を含むものとする。
【００７５】
場合によっては、コンテンツ指定時間はコンテンツ指定情報に含まれなくてもよい。コンテンツ指定情報は、これ以外にも、番組名やＧ−ｃｏｄｅ（登録商標）など、コンテンツを指定することのできる類の情報であれば何でもよい。
【００７６】
また、コンテンツ指定時間は、ある１時刻をさしてもよいし、１時刻と１時刻で決められる一定時間間隔でもよい。また、本明細書中では、コンテンツ指定指示装置１がコンテンツ指定情報を作成し、メッセージにしてコンテンツ視聴指示装置２に送信する例を示しているが、コンテンツ指定指示装置１およびコンテンツ視聴指示装置２に脱着可能な記憶媒体または有線もしくは無線で接続された記憶媒体を用いることによって、コンテンツ指定指示装置１にてコンテンツ指定情報を記憶媒体に記憶させ、該コンテンツ指定情報を記憶した記憶媒体をコンテンツ視聴指示装置２に挿入することで、前記メッセージによるコンテンツ指定情報の送受信に代えてもよい。
【００７７】
コンテンツ指定指示装置１がコンテンツを指定し、コンテンツ指定情報をコンテンツ視聴指示装置２に送るまでを図２〜図５を用いて説明する。
【００７８】
図２は、コンテンツ指定指示装置の機能構成を示す図である。
【００７９】
図を参照して、コンテンツ指定指示装置１は、コンテンツ制御部１６０７にてコンテンツの再生を制御し、ユーザは該制御されたリアルタイム放送コンテンツあるいは蓄積コンテンツを、コンテンツ指定指示装置１あるいはそれに接続された装置を用いて視聴しており、どのコンテンツを視聴しているかはコンテンツ制御部１６０７内の視聴コンテンツ管理部１６０７１が管理する。
【００８０】
視聴コンテンツ管理部１６０７１は、ユーザのチャンネル切り替えに連動して、切り替えた時刻（図３最左列）と関連付けてチャンネル（図３第２列）を記憶する。切り替えた時刻などの計測は、時刻計測部１６０２で行なう。
【００８１】
視聴コンテンツ管理部１６０７１は、視聴しているコンテンツの内容が変わったとき、例えば番組が切り替わったときに、チャンネル切り替え時と同様に履歴を追加することが好ましい。例えば、チャンネル切り替え時に、切り替えたチャンネルと切り替えた時間に基づいて、番組表のようなコンテンツ提供スケジュールを管理するサーバから、少なくとも、チャンネル切り替え時に提供されていたコンテンツの提供終了時刻（放送終了時刻）を取得しておき、取得した提供終了時刻を過ぎてもユーザによるチャンネル変更が行われなかったときに、前述のチャンネル切り替え時と同じように履歴に追加すればよい。
【００８２】
また、チャンネル切り替え時に、前記提供終了時刻のほかに、コンテンツのタイトルも取得して記憶しておくことによって、後述する図５の視聴履歴提示に利用することができる。
【００８３】
視聴コンテンツ管理部１６０７１は、図３に示したユーザの視聴履歴に基づいて、ユーザの視聴していた、もしくは視聴しているコンテンツを決定する。
【００８４】
ユーザは、コンテンツを視聴していて誰かに勧めたいと思った時点で、コンテンツ指定指示装置１を用いてコンテンツを勧めたい相手に対して、コンテンツ指定情報を含めたメッセージをネットワークＩ／Ｆ１６０３を通じて送信する。具体的には、コンテンツ指定指示装置１に備え付けられたユーザ指示入力受付部１６０５の一つである「情報送信」ボタンを押す。このボタンはソフトキーであってもハードキーであってもかまわない。また、後述する情報送信のための処理を行わなくとも、「この瞬間は面白かった」とチェックしておくだけでも構わない。例えば、前記「情報送信ボタン」をすばやく２回押すことで、面白かった瞬間を視聴コンテンツ管理部１６０７１に記憶すればよい。
【００８５】
視聴コンテンツ管理部１６０７１は、このユーザ指示を受けて、図３の第５列に示したように、指示を受けた時刻と「面白かったとチェックされた」こととを記憶する（図３最右列）。またこの「面白かった」のチェックは、チェックされた時刻を記憶してもよいし、「面白かった」とされたコンテンツの切り替え時刻からの経過時間を記憶しても構わない。たとえば、図３の例で説明すると、チェックされた時刻は１３時４０分５０秒であるが、このコンテンツは１３時３０分２５秒から視聴しているので、チェック時刻を１３時４０分５０秒と記憶する代わりに、１０分２５秒経過後と記憶する。
【００８６】
情報送信ボタンが押されると、メッセージ作成部１６０１は、まず、ユーザが送信したいと考えたコンテンツを特定する処理をスタートさせる。この処理の流れを図４に沿って説明する。情報送信ボタンが押されると（Ｓ１７２０）、ユーザが視聴した履歴を提示する（Ｓ１７２１）。ユーザは、提示された履歴の中から送信したいコンテンツを選択すると、選択されたコンテンツが、最近に視聴されたコンテンツ、つまり情報送信ボタン押下直前まで見ていたコンテンツかどうかを判断する（Ｓ１７２２）。選択されたコンテンツが最近に視聴されたコンテンツと判断すると（Ｓ１７２２でＹＥＳ）、後述する「現在視聴中のコンテンツを送信」するステップへと進む。
【００８７】
選択されたコンテンツが最近に視聴されたコンテンツではないと判断されると（Ｓ１７２２でＮＯ）、前述した、視聴コンテンツ管理部１６０７１にて記憶された、ユーザによる「面白かった」のチェックが入ったコンテンツが選ばれたのかどうかを調べる（Ｓ１７２９）。もし、チェックされたコンテンツが選択されていたら（Ｓ１７２９でＹＥＳ）、選択されたコンテンツのチェックされた時刻と提供チャンネルを視聴コンテンツ管理部１６０７１から取得し、コンテンツ指定情報とする（Ｓ１７３０）。もちろん、チェックされた時刻の代わりに、選択されたコンテンツの視聴開始時刻と、チェックされるまでの経過時間を使用してもよい。
【００８８】
選択されたコンテンツは、チェックされたものではなかったら（Ｓ１７２９でＮＯ）、選択されたコンテンツをコンテンツ蓄積部１６０６に蓄積していないかどうか、コンテンツ蓄積情報記憶部１６０６１を調べる（Ｓ１７２３）。コンテンツ蓄積情報記憶部１６０６１に記憶する内容については後述する。コンテンツ蓄積情報記憶部１６０６１を調べた結果、蓄積していると判断されたなら（Ｓ１７２３でＹＥＳ）、コンテンツの中のさらにポイントを指定するかどうかを決定する（Ｓ１７２４）。ポイントを指定するとは、番組の中のさらに細かいシーンを特定することである。指定するかどうかは、ユーザの設定値によりいつも同じ処理になってもよいし、処理するたびにユーザに問い合わせてもよい。
【００８９】
ポイントを指定しないときには（Ｓ１７２４でＮＯ）、選択されたコンテンツの、視聴開始時間、視聴終了時間ならびにチャンネルを視聴コンテンツ管理部１６０７１より取得し、コンテンツ指定情報とする（Ｓ１７２７）。
【００９０】
なお、Ｓ１７２３において選択されたコンテンツが蓄積されていなかったと判断されたとき（Ｓ１７２３でＮＯ）も、同じくＳ１７２７へ進む。ポイントを指定するときには（Ｓ１７２４でＹＥＳ）、選択されたコンテンツを再生するよう、コンテンツ制御部１６０７へ指示する（Ｓ１７２５）。このときの再生は、チャンネル変更としてコンテンツ視聴管理部１６０７が記憶してもよい。このコンテンツ再生Ｓ１７２５の間、ユーザから「情報送信」ボタンが押されるまで待ち（Ｓ１７２６）、押されたら、図６で説明する、ボタン押下がコンテンツ蓄積時の時間に行われていたらいつ押下されたことになったのかを計算するステップＳ１７０５へ進む。
【００９１】
なお、コンテンツ再生がすべて終わっても、ユーザからの「情報送信」指示がなかったり、ポイント指定のキャンセルが行われたりしたときは、コンテンツ再生をキャンセルして、情報送信ボタンを押す以前に見ていたコンテンツへ戻っても良い。また、コンテンツの視聴履歴を記憶しなくともよく、その場合は、過去に視聴したコンテンツに関してコンテンツ指定情報を生成することはできないが、Ｓ１７２０の「情報送信」ボタンが押下されたステップからすぐにＳ１７２８の「現在視聴中のコンテンツを送信」ステップへジャンプすることによって、少なくとも、「情報送信」ボタンを押下する直前まで視聴していたコンテンツに関して、コンテンツ指定情報を生成し、送信することができる。
【００９２】
ここで、「再生」は、再生されるコンテンツによって、その形態を変えるものとする。例えば、コンテンツが放送コンテンツであったときには、放送波の受信に基づいて、テレビ向け放送の場合には映像と音声、ラジオ向け放送の場合には音声のみを提示、メールやホームページであった場合には、それらを表示する、録画済ビデオの場合は録画されている内容を提示、録音済み音声の場合には、録音されている音声を提示する、などのことを指す。
【００９３】
なお、コンテンツ指定情報作成部１６０１１は、コンテンツ視聴管理部１６０７で記憶されているコンテンツだけでなく、将来視聴可能なコンテンツや視聴予定のあるコンテンツに関してコンテンツ指定情報を作成してもよい。「将来視聴可能、視聴予定がある」とは、現在は未放送だが、時間が経過すれば視聴することができることを指す。つまり、「今晩放送するコンテンツ」や「来週放送される番組」などを指す。これらの将来視聴可能なコンテンツを指定する情報は、ユーザ指示入力受付部１６０５によるユーザからの指示入力によってＥＰＧ（Ｅｌｅｃｔｒｉｃ  Ｐｒｏｇｒａｍｉｎｇ  Ｇｕｉｄｅ）：電子番組表を提供するサービスから取得した番組提供スケジュール情報や、Ｇ−ＣＯＤＥ（登録商標）から取得可能である。また、新聞などの非電子媒体からユーザが情報を得、ユーザ指示入力受付部１６０５に対してコンテンツ指定情報を手入力しても構わないことは言うまでもない。さらには、これらの外部からの番組提供スケジュールの情報を得ずとも、前述した方法で作成したコンテンツ指定情報を１日、１週間、あるいは１ヶ月遅らせたコンテンツ指定情報へと変更させることで、次回のコンテンツ指定情報へと変更することも可能である。この方法は、毎日、毎週、毎月と定期的に提供されるコンテンツ、例えば連続ドラマなどのコンテンツの次回分を指定すると特に有効である。
【００９４】
Ｓ１７２１における提示例は図５に示したように、視聴コンテンツ管理部１６０７１が記憶している視聴履歴を提示するものであるが、ユーザの便宜のために、視聴していた時間とコンテンツのチャンネルだけを提示するのではなく、コンテンツのタイトルを表示することが好ましい。表示する順序は、最近見たものから並べておくことが好ましい。さらに、ユーザが「面白い」とチェックしたコンテンツは、図５のように視聴履歴と別に表示することが望ましい。ユーザはこの提示内容を見て、カーソルを移動させて一つを選ぶことによってコンテンツの選択を行う。また、提示するコンテンツ一覧にそれぞれ番号を割り振っておくことで、ユーザが操作するコントローラに数字ボタンが備えられている場合に、直接数字ボタンを押すことで選択が可能となる。
【００９５】
「現在視聴中のコンテンツを送信」するステップについて図６を用いて説明する。ステップがスタートすると（Ｓ１７０１）、視聴コンテンツ管理部１６０７１に記憶した視聴履歴を用いて、現在視聴しているコンテンツがリアルタイム放送なのかビデオのような蓄積されたコンテンツなのか、ＷＷＷ上のコンテンツなのかを判断する（Ｓ１７０２）。判断の結果、ユーザが視聴していたのがリアルタイム放送であったならば、時刻計測部１６０２からボタンが押下された時刻を取得し（Ｓ１７０３）、視聴しているコンテンツを提供している放送チャンネルを取得する（Ｓ１７０４）。リアルタイム放送ではなく、ＷＷＷ上のコンテンツであったとき、時刻計測部１６０２からボタンが押下された時刻を取得し（Ｓ１７１１）、コンテンツのＵＲＩを取得し放映チャンネルとする（Ｓ１７１２）。ボタン押下絶対時刻を取得するステップＳ１７１１は、必ずしも行う必要はない。一方、ビデオなどの蓄積コンテンツを視聴していたならば、コンテンツ管理部１６０７にどのビデオを視聴しているのかを問い合わせ、ビデオが蓄積されたときの蓄積開始時刻をコンテンツ蓄積情報記憶部１６０６１から取得し、併せて「情報送信」ボタン押下時の蓄積コンテンツ再生位置を取得する（Ｓ１７０５）。
【００９６】
その後、ボタン押下時の再生位置と該蓄積コンテンツの蓄積開始時刻に基づいて、ボタン押下仮定時刻を算出する。詳しくは、取得したビデオの蓄積開始時刻とボタン押下時の蓄積コンテンツ再生位置を用いて、視聴していたビデオをリアルタイム（実際の放映時間）に見ていたとしたら、いつ「情報送信」ボタンを押下したことになるのかを計算し、計算結果をボタン押下仮定時刻とする（Ｓ１７０６）。たとえば、２００２年１１月１日１１時００分００秒から蓄積を開始したビデオを視聴中に、ビデオの再生位置がビデオの先頭から２５分２５秒後の時点で「情報送信」ボタンが押されたとすると、もしこのコンテンツをリアルタイムに見ていたとしたら１１時００分００秒からのコンテンツの２５分２５秒後であるので１１時２５分２５秒に「情報送信」ボタンを押下したことになるので、この１１時２５分２５秒という時間をボタン押下仮定時刻とする。得られたボタン押下仮定時刻は、後述するＳ１７０８においてはボタン押下絶対時刻として取り扱う。その後、ビデオの元となる蓄積コンテンツを放映していたチャンネルも取得する（Ｓ１７０７）。
【００９７】
こうして得られたボタン押下絶対時刻をコンテンツ指定時間に、放映チャンネルをコンテンツ指定チャンネルとしてコンテンツ指定情報を作成する（Ｓ１７０８）。もちろん、見ていたコンテンツがＷＷＷ上のコンテンツであった場合であって、ボタン押下絶対時刻を取得しなかった場合にはコンテンツ指定情報にボタン押下絶対時間を含めなくてもよい。また、ボタン押下絶対時刻ではなく、コンテンツの提供開始時刻（放送開始時刻）あるいは蓄積開始時刻からボタンが押下されるまでの経過時間でコンテンツ指定情報を作成しても構わない。
【００９８】
その後、コンテンツ指定情報とともに送りたいメッセージがあれば追加し（Ｓ１７０９）、送信する（Ｓ１７１０）。
【００９９】
また、コンテンツ視聴指示装置２と同様に、コンテンツ指定情報を生成するときに、番組情報取得部１６０８を通じて、コンテンツの放送開始時刻と放送終了時刻を取得して、コンテンツ指定と一緒に下記メッセージに含めてもかまわない。
【０１００】
コンテンツ指定指示装置１のコンテンツ蓄積情報記憶部１６０６１で、どのコンテンツを記憶しているかについては、蓄積、録画、または録音（以下、「蓄積」）の開始時間（蓄積開始時間）、蓄積の終了時間（蓄積終了時間）、およびコンテンツが提供されていたチャンネルを記憶すればよい。例を図７に示す。
【０１０１】
図７は、コンテンツに関する情報の具体例を示す図である。
【０１０２】
図中、第１列（１３０１）が蓄積開始時間、第２列（１３０２）が蓄積終了時間、第３列（１３０３）がコンテンツが提供されていたチャンネルを示している。この例では、１３１は普通のビデオカメラで撮影したビデオを、１３２や１３３はテレビ放送の録画であることを、１３４はＷＷＷ経由で取得した動画像の録画であることを、１３５はＷＷＷのホームページであることを、１３６はラジオ放送の録画であることを示している。
【０１０３】
１３５に示したＷＷＷのホームページには蓄積終了時刻が記憶されていないが、ホームページのような時間によって変化することが少ない若しくは変化がないコンテンツに関しては、取得した時刻や訪問した時刻を蓄積開始時間として記憶するだけで、蓄積終了時間を記憶しなくてもよい。あるいは、蓄積開始時間さえも記憶しなくてもよい。
【０１０４】
この流れにおけるボタン押下からメッセージ送信までのコンテンツ指定指示装置１の表示の一例を図８に示す。
【０１０５】
「情報送信」ボタンを押すと、図４の処理と図６のＳ１７０１〜Ｓ１７０７に示した処理を行い、コンテンツ指定情報を決定した後、決定されたコンテンツ指定情報（８月２０日（水）ＰＭ９：３５  ８ｃｈ）を表示し、この情報をお勧めメッセージとして送信したいかどうかをユーザに問いかける（１８０１）。このとき、１８０１に示したように、番組のタイトル（「無駄な泉」）なども取得できていたならば同時に表示するとよりユーザにとってはわかりやすいが、番組情報の取得に時間がかかるようであれば、特に入れなくてもよい。これにたいしてユーザが確認し「お勧めする」と指示すると、「誰に送りますか？」と送り先となる相手の名前一覧をコンテンツ指定情報送信先記憶部１６０１２から取得して提示し、ユーザに選択を促す（１８０２）。ここでユーザが送り先となる相手を選ぶと、コンテンツ指定情報以外に付け足すメッセージがあれば付け足せるようエディタの画面を提示する（１８０３）。ここでユーザはメッセージを付け足し、「ＯＫ」の指示を出すことで、相手にコンテンツ指定情報付メッセージを送ることができる。
【０１０６】
なお、１８０２における送り先を選ぶ画面であるが、あらかじめユーザがコンテンツ指定情報付メッセージを送る相手を決めてしまっているならば１８０２のステップは飛ばしてもかまわない。１８０３における付け足しメッセージは、ユーザが煩雑と感じるならば、あらかじめ決められた所定のメッセージを自動的に付け足してもよい。
【０１０７】
なお、コンテンツ指定指示装置１がコンテンツ視聴指示装置２に送るコンテンツ指定情報の例とコンテンツ視聴指示装置２でのコンテンツ指定情報が含まれたメールコンテンツやホームページなどのＷＷＷコンテンツの表示例および視聴指示例について図９を用いて説明する。
【０１０８】
図９を参照して、ここでは、２００３年８月２０日２１：３５にコンテンツ指定指示装置１の「情報送信」つまりコンテンツ指定の指示が出され、このとき見ていたコンテンツがＶＨＦの８チャンネル（名称：シカテレビ）で提供されていた同日２１：００〜２１：５５に放送された「無駄な泉」という番組であったと仮定している。１９００は、「チャンネルはＶＨＦの８ｃｈ」というコンテンツ指定チャンネルのみをコンテンツ指定情報としてメッセージに含む例である。１９０１は「チャンネルはＶＨＦの８ｃｈ、２００３年８月２０日２１：３５」というコンテンツ指定チャンネルと１時刻で指定されたコンテンツ指定時間によってコンテンツ指定情報を作成しメッセージに含む例である。１９０２は視聴コンテンツ管理部１６０７１から取得した視聴開始時刻と視聴終了時刻、あるいは、番組情報取得部１６０８（図２）にて取得した番組の開始時刻と終了時刻を、２つの時刻で決められた一定時間間隔としてコンテンツ指定時間を作成し、コンテンツ指定チャンネルと合わせてコンテンツ指定情報とし、メッセージに含めた例である。１９０２２は、ボタン押下絶対時刻を、番組の開始時刻からボタン押下までの経過時間（ｐａｓｔ）で表現した例である。１９０３は１９０２の「８ｃｈ」という表現をテレビ局名（本例ではシカテレビ）で表現した例である。
【０１０９】
この、番組の開始時刻や終了時刻に用いた「ｓｔａｒｔ」および「ｅｎｄ」は、番組の開始時刻や終了時刻だけでなく、蓄積開始時刻や蓄積終了時刻をコンテンツ指定情報に含めるために用いても構わない。
【０１１０】
１９００のように、コンテンツ指定情報にコンテンツ指定時間を含まない場合は、「ｐｏｉｎｔ」あるいは「ｓｔａｒｔ」「ｓｔｏｐ」で示したコンテンツ指定時間を記述しなくてもよい。これらのコンテンツ指定情報とその付加情報を含めたコンテンツを受け取ったコンテンツ視聴指示装置２での表示例が１９０４，１９０５，１９０６である。１９０４のようにコンテンツ指定時刻を表示してもよいし、１９０１〜１９０３などの指定情報および付加情報をそのまま見せて、ユーザに視聴するコンテンツを選択してもらう表示をしてもよい。１９０４および１９０５はメールなどで使用すると好ましい例である。これに対して、例えばＷＷＷページなどでは１９０６に示したように、見栄えよく整理されたお勧めコンテンツ一覧を提供するサーバから受信し、見ることもできる。ここでは、各選択肢（視聴可能なコンテンツ）にそれぞれ番号を振り、カーソルで選択指示する形態の使用方法だけでなく、リモコンなどの数字ボタンを用いて指定してもよい。この方法は、数字による入力が馴染み深いテレビジョン装置や携帯電話などで有効である。
【０１１１】
なお、本コンテンツ指定指示装置１は、図１０に示すように、メモリ５０１、ＣＰＵ５０２、不揮発性メモリ５０３、ネットワーク接続回路５０４、ディスプレイやスピーカーなどの出力部５０５、マウスやキーボード、マイクなどの入力部５０６、タイマー５０８、放送受信用チューナー５０７から構成され、それぞれはバス５００によって接続されている。また、各部は必ずしも一つの筐体内に収納されなくともよく、有線あるいは無線通信手段にて外部に置かれていてもよい。メッセージ作成部１６０１、コンテンツ指定情報作成部１６０１１、コンテンツ制御部１６０７、視聴コンテンツ管理部１６０７１、番組情報取得部１６０８はメモリ５０１あるいはＣＰＵ５０２で、コンテンツ指定情報記憶部１６０１２、コンテンツ蓄積部１６０６、コンテンツ蓄積情報記憶部１６０６１はメモリ５０１あるいは不揮発性メモリ５０３で、ユーザ指示入力受付部１６０５は入力部５０６で、出力部１６０４は出力部５０５で、ネットワークＩ／Ｆ１６０３はネットワーク接続回路５０４で、時刻計測部１６０２はタイマー５０８あるいはＣＰＵ５０２で構成する。放送受信用チューナー５０７はコンテンツ視聴指示装置２とは独立したテレビジョン装置やＳＴＢ（Ｓｅｔ  Ｔｏｐ  Ｂｏｘ）であってもよいし、メモリ５０１および不揮発性メモリ５０３は、コンテンツ視聴指示装置２に差し込まれるメモリーカードや、結線された運搬可能なハードディスク装置、もしくはコンテンツ視聴指示装置２とネットワーク接続されたサーバコンピュータなどでもかまわない。
【０１１２】
図１０にはさらにＧＰＳ（Ｇｌｏｂａｌ  Ｐｉｓｉｔｉｏｎｉｎｇ  Ｓｙｓｔｅｍ）センサ５０９が記されているが、本実施の形態では必須でない。後述する第２の実施の形態で使用する。
【０１１３】
次に、コンテンツ視聴指示装置２の第１の実施の形態について説明する。
【０１１４】
コンテンツ視聴指示装置２の大まかな挙動について図１１を用いて説明する。
【０１１５】
ユーザによって「このコンテンツを見る」という視聴指示を受ける、具体的には、視聴するコンテンツがユーザによって選ばれると（Ｓ１０１）、選ばれたコンテンツ指定情報にコンテンツ指定時間は含まれているかどうかを調べる（Ｓ１００）。
【０１１６】
含まれていたとき（Ｓ１００でＹＥＳ）、コンテンツ指定チャンネルおよびコンテンツ指定時間を取得し（Ｓ１０２）、それとともに現在時刻を取得する（Ｓ１０３）。ここで、現在時刻とコンテンツ指定時刻を比較し（Ｓ１０４）、比較した結果現在時刻に比べ、コンテンツ指定時刻のほうが過去である場合は、コンテンツ指定情報によって指定されたコンテンツを蓄積していないか調べるステップへと移行する（Ｓ１０５１）。一方、現在時刻に比べコンテンツ指定時刻のほうが未来である場合には、蓄積予約あるいは視聴予約を行うステップへと移行する（Ｓ１０５３）。現在時刻とコンテンツ指定時刻がほぼ同じと判断されたときにはコンテンツ指定チャンネルで指定されたチャンネルへ変更する（Ｓ１０５２）。
【０１１７】
コンテンツ指定情報にコンテンツ指定時間が含まれていなかったとき（Ｓ１００でＮＯ）、コンテンツ指定チャンネルを取得し（Ｓ１０２１）、コンテンツ指定チャンネルに切り替える（Ｓ１０５２）。これらのステップが、コンテンツ視聴装置２のどの部分で行われるかを以下に示す。
【０１１８】
図１２は、図１のコンテンツ視聴指示装置２の機能構成を示す図である。
【０１１９】
コンテンツ視聴指示装置２は、ネットワークＩ／Ｆ４０８を経由してメッセージ受信部４１２でメッセージを受信し、受信したメッセージに含まれるコンテンツ指定情報が指定するコンテンツをコンテンツ受信部４０７で取得し、コンテンツ制御部４０１で制御し、出力部４０４に出力し視聴させる。
【０１２０】
ここで、受信したメッセージにコンテンツ指定情報が含まれていた場合、コンテンツ制御部４０１はコンテンツ指定情報取得部４０３を用いてメッセージの中からコンテンツ指定情報を取得し、コンテンツ指定情報記憶部４０６に記憶する。ユーザはユーザ指示入力受付部４０５を用いて、コンテンツ指定情報記憶部４０６に記憶されたコンテンツ情報から選択して視聴指示を行なう。もしくは取得したメッセージにコンテンツ指定情報が含まれていたとコンテンツ制御部４０１が判断し、ユーザがユーザ指示入力受付部４０５を用いて視聴指示をした場合に、コンテンツ指定情報に応じて上述した（図１１）所定の処理を行い、場合によって時刻計測部４０２が計測した現在時刻を考慮に入れ、コンテンツ指定情報にて指定されたコンテンツの出力を出力部４０４で行う。
【０１２１】
この際の出力コンテンツである、コンテンツ指定情報の指定するコンテンツが、蓄積されているかどうかをコンテンツ蓄積情報記憶部４１００１を用いて調べ、蓄積されていればコンテンツ蓄積部４１０の中からコンテンツ指定情報にて指定されたコンテンツを出力コンテンツとする。また、出力コンテンツがリアルタイムに放送されているコンテンツであれば、チャンネル切り替え部４１１を用いて受信チャンネルを切り替え、コンテンツを出力する。このチャンネル切り替え部４１１は、コンテンツ視聴指示装置２の構成によって、実際にチャンネルの切り替えを行うこともあるが、チャンネルの切り替えを指示する信号を出す働きをするだけでもかまわない。また、必要に応じて、コンテンツ視聴指示装置２は番組情報取得部４０９を用いて番組の情報を取得する。
【０１２２】
コンテンツ視聴指示装置２の主制御部４０１は、メッセージを受信すると、まず図１３に示す処理を行う。
【０１２３】
図１３を参照して、メッセージを受信すると（Ｓ６０１）、内にコンテンツ指定情報が含まれているかどうかを調べる（Ｓ６０２）。コンテンツ指定情報が含まれていなかった場合は（Ｓ６０２でＮＯ）通常のメッセージ処理を行うが（Ｓ６０６）、コンテンツ指定情報が含まれていたら（Ｓ６０２でＹＥＳ）、含まれていたコンテンツ指定情報からコンテンツ指定チャンネルとコンテンツ指定時間を取得する（Ｓ６０３）。
【０１２４】
さらに、取得したコンテンツ指定チャンネルで取得したコンテンツ指定時間に放送されている番組に関する情報を、番組情報取得部４０９が番組情報を提供しているサーバから取得する（Ｓ６０４）。もし、受信したメッセージにＳ６０４で得るような番組情報を含んでいるときは、Ｓ６０３にてコンテンツ指定情報とともに番組情報も取得し、Ｓ６０４での処理は行わなくてもよい。また、コンテンツ指定情報の中に、コンテンツ指定時間が含まれていなかった場合、Ｓ６０３ではコンテンツ指定チャンネルだけを取得し、Ｓ６０４を行わなくてもよい。コンテンツ指定情報の形態およびコンテンツ指定情報を含んだメッセージの例については図９に示した。
【０１２５】
取得した番組情報、コンテンツ指定チャンネル、コンテンツ指定時間およびその番組が始まる時間と終わる時間を合わせてコンテンツ指定情報記憶部４０６にて記憶する。コンテンツ指定情報記憶部４０６にて記憶する内容のイメージ図を図１４に示す。
【０１２６】
図１４を参照して、１４１では、コンテンツ指定チャンネル（第１列ｃｈａｎｎｅｌ）、コンテンツ指定時間（第２列ｐｏｉｎｔ、第３列ｓｔａｒｔ、第４列ｓｔｏｐ）を記憶する。コンテンツ指定情報として含まれていなかった項目については、記憶しなくてもよい。１４２の例では、さらに、このコンテンツ指定情報が示すコンテンツのコンテンツ情報を、番組情報取得部４０９が取得した結果得られた放送開始時刻（第５列）と放送終了時刻（第６列）、および番組名（最右列）も併せて記憶する。なお、番組情報取得部４０９が行う番組情報の取得は必ずしも行われる必要があるものではないが、後述するコンテンツ指定情報記憶部４０６にて記憶している内容をユーザに提示する際に、番組に関する情報も一緒に提示した方がユーザにとってはコンテンツ指定情報を把握しやすいので、番組情報取得部４０９が行う番組情報の取得は行う方が望ましい。
【０１２７】
同様にコンテンツ指定情報記憶部４０６は少なくとも１４１のようにコンテンツ指定チャンネルと、コンテンツ指定情報に含まれていたならコンテンツ指定時間を記憶しなければならないが、１４２に示すように番組情報をも記憶しているほうが望ましい。１４１、１４２に示したようなコンテンツ指定情報の記憶は、コンテンツ指定情報を送信してきた送信元別に記憶しても構わない。また、送信元別に記憶しなくても、各コンテンツ指定情報と、送信元とを関連付けて記憶しておくだけでも構わない例を１４３に示した。
【０１２８】
１４３では、第２行目および第４行目のコンテンツ指定情報はＭｉｒｏｄｉから、第３行目のコンテンツ指定情報はＳａｔｓｕｋｉから送られてきたものである、と関連付けて記憶している様子を表している。
【０１２９】
ユーザはコンテンツ視聴指示装置２をユーザ指示入力受付部４０５を用いて操作し、図１５の画面を得る。
【０１３０】
図１５に示されるように、コンテンツ視聴指示装置２は出力部４０４を用いてコンテンツ指定情報記憶部４０６にて記憶しているコンテンツ指定情報の一部あるいは全部を表示する。ユーザは例えば上下方向の操作が可能なボタンなどのユーザ指示入力受付部４０５を操作することによって視聴を希望するコンテンツを選ぶ。このように、コンテンツ視聴指示装置２は、ユーザによってコンテンツが選ばれると、「視聴指示があった」と判断し、図１１や図１６の処理を行う。
【０１３１】
ここで、図１１で述べた「コンテンツ指定時間と現在時刻がほぼ同じである」の判断において「ほぼ同じ」かどうかを判定する具体的な例をさらに図１６を用いて説明する。
【０１３２】
図１６を参照して、前述同様、視聴指示を受けると（Ｓ９０１）、選ばれたコンテンツ指定情報にコンテンツ指定時間は含まれているかどうかを調べる（Ｓ９００）。含まれていたとき（Ｓ９００でＹＥＳ）、コンテンツ指定チャンネルとコンテンツ指定時間を取得（Ｓ９０２）、合わせて現在時刻を取得する（Ｓ９０３）。ここで、番組情報取得部４０９を用いて、番組情報を提供するサーバに対して、コンテンツ指定チャンネルにて現在時刻に放送されている番組の情報を問い合わせ、放送開始時間と放送終了時間を取得する（Ｓ９０４）。
【０１３３】
この取得した放送開始時間と放送終了時間と現在時刻とを比較し（Ｓ９０５）、放送開始時間と放送終了時間との間に現在時間が含まれるならば「ほぼ同じ」と判断し（Ｓ９０６２）、コンテンツ指定チャンネルに切り替えるステップへ移行する。それ以外で、現在時刻は放送開始時刻よりもさらに前であれば指定されたコンテンツを録画予約あるいは視聴予約するステップへ移行（Ｓ９０６３）、放送終了時刻よりも現在時刻のほうが後であれば指定されたコンテンツを蓄積していないかを調べるステップへ移行する（Ｓ９０６１）。
【０１３４】
前述した、メッセージを受信したときの番組情報取得部４０９が行う番組情報取得において、もし、メッセージ受信時に放送中のコンテンツだった場合、すぐに見ることが望ましい場合がある。その例を図１７に示す。
【０１３５】
図１７を参照して、コンテンツ指定情報を取得し（Ｓ６０３）、取得結果を用いて番組情報取得部４０９が番組情報を取得する（Ｓ６０４）。ここまでは図１３に示したステップＳ６０３、Ｓ６０４と同じである。このとき、現在時刻をさらに取得し（Ｓ１００１）、Ｓ６０４にて取得した番組の放送開始時間と放送終了時間と現在時刻とを比較し、現在時刻が放送時間に含まれているならば（Ｓ１００２でＹＥＳ）コンテンツ指定チャンネルへ切り替え（Ｓ１００３）、含まれていなかった場合は前述のようにコンテンツ指定情報と番組情報とを合わせて記憶する（Ｓ６０５）。この記憶ステップも図１３に示したものと同じである。
【０１３６】
この方法を用いることによって、ユーザは、リアルタイムに届いたコンテンツ指定情報であってもすぐに視聴することが可能となる。この切り替えステップの実行は、自動的に行ってもよいし、ユーザに実行許可を問い合わせてから行ってもよい。あるいは、コンテンツ指定指示装置１により、コンテンツ指定情報とともに、チャンネルの切り替えを自動で行うか実行許可をユーザに求めるかどうかを指定されてもよい。また、ユーザの設定によって、チャンネルの切り替えを自動で行うか実行許可をユーザに求めるかどうかを切り替えてもよい。また、コンテンツ指定情報を送信してきた送信元が、信頼のおける送信元であればユーザに確認なくチャンネルを切り替え、信頼のおけない送信元であればユーザに確認してからチャンネルを切り替えるあるいはチャンネルの切り替えを行わない、としてもよい。この場合、信頼のおける送信元を記憶しておいてもよいし、コンテンツ指定情報を認証する第三者によって認証されたかどうかによって判断してもよい。
【０１３７】
ここで、Ｓ１０５２、Ｓ９０６１、Ｓ１００３で示したチャンネル変更ステップについて詳しく図１８を用いて説明する。
【０１３８】
図１８を参照して、チャンネル変更ステップへと進むと（Ｓ１１０１）、ユーザにチャンネルを変更するかどうか問い合わせる画面を出力部４０４で表示する（Ｓ１１０２）。
【０１３９】
画面表示例は、図１９に示したように、Ｓ１０５２、Ｓ９０６１のようなコンテンツを選んで視聴指定した場合には（ｂ）のような画面を、Ｓ１００３のようにメッセージの受信とほぼ同時にコンテンツ視聴時間がある場合には（ａ）のような画面を表示する。これらの質問に対して、ユーザの返答を待ち（Ｓ１１０３）、「はい」と返答されたときには（Ｓ１１０３でＹＥＳ）、取得したコンテンツ指定チャンネルへ変更し（Ｓ１１０４）、「いいえ」と返答されたときには（Ｓ１１０３でＮＯ）、特に何もしない。
【０１４０】
ここで、ユーザの返答を待つ時間は、ユーザから返答が来るまで待ち続けてもよいが、ある程度の制限時間を設けて返答がない場合は「いいえ」と返答されたと処理してもよい。また、チャンネルの変更Ｓ１１０４を行わない場合に、変更する代わりに蓄積をしてもよい。
【０１４１】
また、コンテンツ指定指示装置１によって、コンテンツ指定情報とともにチャンネル切り替えに関する条件を指定されることも可能である。たとえば、コンテンツ指定指示装置１が図９の１９０１「ｔｖ：／／８．ｖｈｆ／ｓｅｔ？ｐｏｉｎｔ＝２００３．０８．２０．２１．３５」に、自動チャンネル変更を指示するオプション「ｃｈａｎｇｅ＝ａｕｔｏ」を追加することで、受信したコンテンツ視聴指示装置２は、ユーザに問い合わせるステップＳ１１０２およびユーザの返答を待つステップＳ１１０３を行うことなくチャンネル変更Ｓ１１０４を行ってもよい。
【０１４２】
また同様に蓄積を指示するオプション「ｒｅｃ＝ａｕｔｏ」をコンテンツ指定指示装置１が送信し、受信したコンテンツ視聴指示装置２がユーザに問い合わせることなく、またチャンネルの変更をするかどうかに関わらず蓄積を開始しても構わない。この場合も、コンテンツ指定情報の送信元に応じて、図１９（ｅ）のように表示し、ユーザの確認なし、つまりＳ１１０３の確認ステップを飛ばしてＳ１１０４の処理を行っても構わない。このとき、自動的にＳ１１０４に進むのを中止するために、（ｅ）に示したように、キャンセルの手段を設けてもよい。
【０１４３】
Ｓ１０５１、Ｓ９０６１、に示した、コンテンツ指定情報が指定するコンテンツを蓄積していないか調べるステップについて図２０を用いて説明する。Ｓ１０５１、Ｓ９０６１の調べるステップに入ると（Ｓ１４０１）、コンテンツ指定情報の中身であるコンテンツ指定時間とコンテンツ指定チャンネルを確認し（Ｓ１４０２）、コンテンツ蓄積部４０８にあるコンテンツ蓄積情報記憶部４１００１に記憶されているコンテンツ蓄積情報を調べる。
【０１４４】
コンテンツ蓄積部４１０はコンテンツを蓄積すると、コンテンツ蓄積情報を例えば図７のようにコンテンツ蓄積情報記憶部４１００１に記憶する。コンテンツ蓄積情報は蓄積開始時間１３０１、蓄積終了時間１３０２およびコンテンツ提供チャンネル１３０３によって構成する。このコンテンツ蓄積情報記憶部４１００１にて記憶する様子はコンテンツ指定指示装置１と同様でかまわないとする。
【０１４５】
ここで、蓄積コンテンツ内にコンテンツ指定チャンネルが合致し、コンテンツ指定時間を含むコンテンツが存在するかどうかを調べる（Ｓ１４０３）。具体的には、指定されたコンテンツ指定チャンネルにて放送されたコンテンツを蓄積しているかどうかコンテンツ蓄積情報記憶部４１００１内を調べ、蓄積されていたならば、次にコンテンツ指定時間が、該蓄積されていたコンテンツの蓄積開始時間と蓄積終了時間の間に入るかどうかを調べ、間に入っているならばコンテンツ蓄積部４０８にて蓄積されていると判断する。
【０１４６】
例えばコンテンツ指定情報がコンテンツ指定チャンネル「ｔｖ：／／ｖｈｆ．１１／」、コンテンツ指定時間が「２００２年６月６日１２時４０分３０秒」であるとすると、まずコンテンツ蓄積情報記憶部４０８１内のコンテンツ提供チャンネル１３０３を参照する。ここで、図７の表のインデックス行を除いて第４行目（１３３）のコンテンツ提供チャンネルが一致するので、１３３に関して次に時間を参照する。今回「２００２年６月６日１２時４０分３０秒」というコンテンツ指定時間に対し、この１３３のコンテンツ蓄積情報の蓄積開始時間が２００２年６月６日１２時３０分００秒、蓄積終了時間が２００２年６月６日１２時５５分００秒であり、コンテンツ指定時間２００２年６月６日１２時４０分３０秒は蓄積開始時間と蓄積終了時間の間にあるので、この１３３が該コンテンツ指定情報であると判断される。
【０１４７】
コンテンツ指定情報が示すコンテンツがコンテンツ蓄積部４０８に蓄積されていると判断された場合（Ｓ１４０３でＹＥＳ）は、コンテンツ指定情報が示すコンテンツの再生を行うステップへ進む（Ｓ１４０４）。このとき、コンテンツ指定情報に基づいて、コンテンツ指定時間から再生を開始してもかまわないし、コンテンツ指定情報を含む蓄積コンテンツの最初から再生を行ってもかまわない。ここで、コンテンツ指定時間から再生するか、コンテンツの先頭から再生するかをコンテンツ指定指示装置１側で指定できてもよい。
【０１４８】
例えば、コンテンツ指定指示装置１が図９の１９０１「ｔｖ：／／８．ｖｈｆ／ｓｅｔ？ｐｏｉｎｔ＝２００３．０８．２０．２１．３５」に、コンテンツ指定時間からの再生を指示するオプション「ｓｔａｒｔｆｒｏｍ＝ｐｏｉｎｔ」を追加することで、コンテンツ視聴指示装置２がコンテンツ指定時間から再生をスタートし、一方、コンテンツの先頭からの再生を指示する「ｓｔａｒｔｆｒｏｍ＝ｈｅａｄ」をコンテンツ指定指示装置１がつけているとき、コンテンツ視聴指示装置２が蓄積開始時点やコンテンツの先頭から再生をスタートすればよい。コンテンツ指定時間から再生をスタートするとき、ちょうどコンテンツ指定時間によって指定されている時点から再生しなければならないわけではなく、例えば、１０秒前、１分前、５分前など、コンテンツ指定時間によって指定されている時点よりも少し前から再生を開始してもよい。
【０１４９】
もし、コンテンツ指定情報の指定するコンテンツがコンテンツ蓄積情報記憶部４１００１内に見つけられなかった場合（Ｓ１４０３でＮＯ）、コンテンツを蓄積していなかった旨をユーザに伝える（Ｓ１４０５）。このときの動作としては「コンテンツがありませんでした」と出力部４０４に表示することが好ましい。あるいは、図１５に示した、コンテンツ指定情報記憶部４０６にて記憶しているコンテンツ指定情報の一部あるいは全部を表示するときに、前述の、コンテンツ指定情報の指定するコンテンツがコンテンツ蓄積情報記憶部４１００１内に記憶されているかどうかを調べ、記憶していなければ、記憶していないことが判別できるように出力する、あるいは、コンテンツ蓄積情報記憶部４１００１に記憶していないコンテンツ指定情報は出力しない、などの方法を取ることによって、ユーザに蓄積していないことを通知してもよい。
【０１５０】
また、コンテンツに関する情報やキーワードを何らかの手段で取得し、次回からは見逃すことがないように、この取得したコンテンツの情報やキーワードを用いて蓄積予約を行ってもよい。あるいは、定期的に提供されるようなコンテンツであれば、次回の提供の時間を、コンテンツ提供スケジュールを記憶するサーバから取得して蓄積予約あるいは視聴予約を行っても構わないし、あるいは１日後や１週間後の同チャンネル同時間と推定して予約しても構わない。また、見つからなかったとしても、コンテンツ指定時間に近い時間で蓄積されていたコンテンツがあったとしたら、その近い時間で蓄積されていたコンテンツをコンテンツ指定情報によって指定されたコンテンツであると判断してもかまわない。
【０１５１】
例えば、コンテンツ指定チャンネルが図７の１３３と同じチャンネルで、コンテンツ指定時間が２００２年６月６日１２時２５分であった場合や、同日１３時０５分であったとしても、コンテンツ指定情報が１３３を指定していると判断してもかまわない。
【０１５２】
次に、Ｓ１０５３、Ｓ９０６３に示した蓄積予約ステップについて図２１を用いて説明する。蓄積予約ステップに入ると（Ｓ１５０１）、コンテンツ指定情報の中身であるコンテンツ指定時間とコンテンツ指定チャンネルを確認し（Ｓ１５０２）、番組情報取得部２０７を用いて、番組情報を提供するサーバに対して、コンテンツ指定チャンネルにてコンテンツ指定時間に放送される番組の情報を問い合わせ、放送開始時間と放送終了時間を取得する（Ｓ１５０３）。
【０１５３】
もし、すでにコンテンツ指定チャンネルにてコンテンツ指定時間に放送される番組の情報をコンテンツ指定情報記憶部４０６に記憶しているならば、わざわざ番組情報取得部４０７を用いて改めて取得しなおさなくても、コンテンツ指定情報記憶部４０６から取得してもよい。そのどちらかの方法によって得られた番組情報を元に、コンテンツ蓄積部４０８に蓄積予約を行う（Ｓ１５０４）。ここでは蓄積の例を用いたが、単なる視聴予約すなわち視聴開始予定時刻にチャンネル切り替え部４１１にてチャンネルをコンテンツ指定チャンネルに変更するよう設定してもよい。また、視聴予約であるか蓄積予約であるかを、コンテンツ指定指示装置１が指定できてもよい。
【０１５４】
コンテンツ視聴指示装置２も、図１０に示した構成で構成することができる。図１２に示したコンテンツ制御部４０１はメモリ５０１やＣＰＵ５０２で、時刻計測部４０２はタイマー５０８で、コンテンツ指定情報取得部４０３はメモリ５０１やＣＰＵ５０２で、出力部４０４は出力装置５０５で、ユーザ指示入力受付部４０５は入力装置５０６で、コンテンツ指定情報記憶部４０６はメモリ５０１や不揮発性メモリ５０３で、コンテンツ受信部４０７はメモリ５０１やＣＰＵ５０２で、ネットワークＩ／Ｆ４０８はネットワーク接続回路５０４で、番組情報取得部４０９はメモリ５０１やＣＰＵ５０２で、コンテンツ蓄積部４１０およびコンテンツ蓄積情報記憶部４１００１はメモリ５０１や不揮発性メモリ５０３で、チャンネル切り替え部４１１はメモリ５０１やＣＰＵ５０２や放送受信用チューナー５０７で、メッセージ受信部４１２はメモリ５０１やＣＰＵ５０２でそれぞれ構成される。
【０１５５】
コンテンツ指定指示装置１と同様に、コンテンツ視聴指示装置２を構成するこれらも必ずしも有線で結線されている必要はなく、無線あるいはネットワークを通じて通信可能な接続であってもよい。特に、放送受信用チューナー５０７はコンテンツ視聴指示装置２とは独立したテレビジョン装置やＳＴＢ（Ｓｅｔ  Ｔｏｐ  Ｂｏｘ）であってもよいし、メモリ５０１および不揮発性メモリ５０３は、コンテンツ視聴指示装置２に差し込まれるメモリーカードや、結線された運搬可能なハードディスク装置、もしくはコンテンツ視聴指示装置２とネットワーク接続されたサーバコンピュータなどでもかまわない。図１０にはさらにＧＰＳ（Ｇｒｏｂａｌ  Ｐｉｓｉｔｉｏｎｉｎｇ  Ｓｙｓｔｅｍ）センサ５０９が記されているが、本実施例では省略しても良く後述する第２の実施の形態で使用する。
【０１５６】
（第２の実施の形態）
図２２は、本発明の第２の実施の形態におけるシステムの構成を示す図である。
【０１５７】
第２の実施の形態では、新たに、図２２に示したようにコンテンツ情報サーバ３を用いる。
【０１５８】
コンテンツ指定情報を生成するコンテンツ指定指示装置１の置かれている場所と、コンテンツ指定情報に基づいてコンテンツを視聴するコンテンツ視聴指示装置２の置かれている場所が遠隔地であると、放送エリアが異なることがある。このとき、コンテンツ指定情報が同じであっても、コンテンツ指定指示装置１、コンテンツ視聴指示装置２がそれぞれ置かれている場所において、同じコンテンツを指定できない場合がある。
【０１５９】
さらに詳しく説明すると、東京で３月３日の３時に１チャンネルにおいて放送されていたコンテンツは、名古屋で、同日同時間に放送されないことがある。ただ単に同一系列テレビ局のチャンネル番号に合わせると解消されるという程度の不具合ではない。この不具合を解消するため、コンテンツ情報サーバ３は、コンテンツ指定情報とともにコンテンツ指定情報を作成した元となる位置情報（以下、元位置情報）と、コンテンツ指定情報を送信する先やコンテンツ指定情報を受信した装置が移動する先の位置情報（以下、希望位置情報）を受信する（１３）。
【０１６０】
そこで、コンテンツ情報サーバ３は、コンテンツ指定情報を元位置情報が属する放送エリアの放送スケジュールから探し出し、コンテンツ指定情報の指定するコンテンツを同定し、同定されたコンテンツを希望位置情報の属する放送エリアの放送スケジュールから探し出し、コンテンツ指定情報を、希望位置情報の属する放送エリアにおけるコンテンツ指定情報として変換して返送する。
【０１６１】
コンテンツ指定指示装置１は、コンテンツ指定情報を生成しコンテンツ視聴指示装置２に送信するとき、コンテンツ指定指示装置１の設置されている場所の位置情報を付与してメッセージを作成し送信してもよいし、コンテンツ視聴指示装置２の位置情報を取得し、コンテンツ情報サーバ３に対して、コンテンツ指定指示装置１の場所におけるコンテンツ指定情報からコンテンツ視聴指示装置２の場所におけるコンテンツ指定情報への変換要求を出し、変換結果をコンテンツ視聴指示装置２へ送信してもよい。
【０１６２】
コンテンツ視聴指示装置２は、コンテンツ指定情報と、それとともに受信した位置情報を関連付けて記憶し、コンテンツ視聴指示を出すとき、コンテンツ指定情報に付与されている位置情報の属する放送エリアを参照して、コンテンツ視聴指示装置２の置かれている場所の放送エリアと比較し、違う放送エリアである場合に、コンテンツ情報サーバに対して、元位置情報をコンテンツ指定情報とともに受信した位置情報、希望位置情報をコンテンツ視聴指示装置２の置かれている位置情報としてコンテンツ指定情報の変換要求を出し、変換結果を受信して視聴を開始する。
【０１６３】
元位置情報や希望位置情報などの「位置情報」は、地理的な位置の情報を表すものとし、市外局番や郵便番号、緯度経度情報、県名、地名、住所、地方名、など放送エリアを特定するために利用できる地理的情報であれば何でもよい。
【０１６４】
以下に、コンテンツ情報サーバ３について説明する。
【０１６５】
図２３は、コンテンツ情報サーバ３の機能構成を表す図である。コンテンツ情報サーバ３は、コンテンツ指定指示装置１やコンテンツ視聴指示装置２からのコンテンツ指定情報の地域変換要求として、元位置情報の属する放送エリアにおけるコンテンツ指定情報、元地域情報、希望地域情報を受信部３２で受け取り、受信したコンテンツ指定情報の示すコンテンツをコンテンツ情報記憶部３１１にて記憶しているコンテンツ情報から検索し、希望地域情報の示す地域でのコンテンツ指定情報に変換する。その結果変換したコンテンツ指定情報を送信部３３から返信する。
【０１６６】
なお、コンテンツ情報サーバ３は、さらに放送エリア検索部３１２を備え、位置情報、県名、地方名、放送局名ドメイン名などから放送エリア対応記憶部３１２１を参照して放送地域を割り出すこともできる。なお、このコンテンツ情報サーバ３は、市販のサーバ装置やパーソナルコンピュータで構成が可能である。
【０１６７】
少なくとも、図２４に示すように、バス３２０で繋がれたＣＰＵ３２２、メモリ３２１、不揮発性メモリ３２３、ネットワーク接続回路３２４を備えればよい。受信部３２および送信部３３はネットワーク回路３２４で、コンテンツ情報検索部３１、放送エリア検索部３１２はメモリ３２１あるいはＣＰＵ３２２で、コンテンツ情報記憶部３１１、放送エリア対応記憶部３１２１はメモリ３２１や不揮発性メモリ３２３でそれぞれ構成される。コンテンツ指定情報の受信および返信形態は、メールやＩＭやＨＴＴＰ（Ｈｙｐｅｒ  Ｔｅｘｔ  Ｔｒａｎｓｆｅｒ  Ｐｒｏｔｏｃｏｌ）でもよく、データ通信を行うことができる媒体ならよい。
【０１６８】
コンテンツ情報記憶部３１１にて記憶しているコンテンツの情報について図２５を用いて説明する。
【０１６９】
３３１と３３２に示したように、コンテンツ情報記憶部３１１では放送地域ごとチャンネルごとに放送開始時間（３３１，３３２の各最左列）、放送終了時間（第２列）、コンテンツＩＤ（第３列）、出演者（第４列）、タイトル（最右列）を収録した放送コンテンツ一覧表を記憶している。コンテンツＩＤとは、コンテンツ毎に一意に割り当てられた識別子であることが望ましい。「一意」は、コンテンツ情報記憶部３１１内で一意であれば十分である。図２５には、近畿の４チャンネルと九州の５チャンネルでのコンテンツ情報を記しており、記した中では、近畿の（列の名前を示した行を除いて）第５行、九州の第１行に記した「無駄な泉」が、同じコンテンツＩＤ「４０」、同じ出演者「中山奈津子」、同じタイトル「無駄な泉」を持ち、同じコンテンツであることがわかる。
【０１７０】
コンテンツ情報記憶部３１１内で一意に割り当てられたコンテンツＩＤがあれば地域別に記憶されたコンテンツ情報の集合から同じコンテンツを検索することは容易だが、コンテンツＩＤが割り当てられていない場合は、出演者が同じかどうか、タイトルが同じかどうかで類推してもよい。こうして放送エリアごとに放送コンテンツ一覧表を記憶することで、元位置情報が属する放送エリアの放送コンテンツ一覧表からコンテンツ指定情報が指し示すコンテンツのＩＤやタイトルなどを特定（放送情報特定ステップ）し、検索されたコンテンツを希望地域情報の属する放送エリアの放送コンテンツ一覧表から検索（放送情報検索ステップ）することができる。
【０１７１】
放送エリア対応記憶部３１２１にて記憶している放送エリア対応表の例を図２６に示した。３４１は位置情報の表記例（右列）と、その位置情報が示す場所が属する放送エリア（左列）との対応を示している。
【０１７２】
放送エリア対応記憶部３１２１がこの対応関係を記憶しておくことで、放送エリア検索部３１２は、受信した位置情報を対応表３４１内から探し、放送エリアを特定することが可能となる。また、３４２は放送局名（中央列）とチャンネル番号（右列）および放送エリア（左列）との対応を示している。放送エリア対応記憶部３１２１がこの対応関係を記憶しておくことで、放送エリア検索部３１２は、位置情報の代わりに受け取った放送局名を対応表３４２から探し、放送エリアを特定することもできる。
【０１７３】
これらの例以外にも、市外局番や郵便番号、緯度経度情報など一般に位置や地域を特定することができる情報と放送エリアとを対応付けて記憶していても構わない。
【０１７４】
これらのいずれかの対応表を用いて放送エリアを特定することができる（放送エリア特定ステップ）。この放送エリア対応表を用いてコンテンツ情報サーバ３は、この放送エリアの問い合わせのみを受信して、放送エリアを返信することも可能である。例えば、「ｈｔｔｐ：／／コンテンツ情報サーバのアドレス／ｓｅｔ？ａｒｅａ＝ｎａｒａ」というＵＲＬをコンテンツ情報サーバ３が受信し、「ａｒｅａ＝ｎａｒａ」だけを受信したＵＲＬから取得できた場合に、このＵＲＬを放送エリアの問い合わせと解釈し、「ｎａｒａ」の属する放送エリア「近畿」を同様に返信すればよい。これらの情報のやり取りはＵＲＬだけに限らず、メールなどを利用してもよいことは言うまでもない。
【０１７５】
コンテンツ情報サーバ３が、元地域情報におけるコンテンツ指定情報を受け取ってから希望地域情報におけるコンテンツ指定情報に変換し、返信用の情報を生成するまでの流れについて図２７を用いて説明する。
【０１７６】
コンテンツ情報サーバ３はコンテンツ指定情報変換要求を受信すると、変換要求に含まれるコンテンツ指定情報（コンテンツ指定時間、コンテンツ指定チャンネル）、元位置情報、希望位置情報を取得する（Ｓ３５０１）。
【０１７７】
そして、放送エリア特定ステップにおいて元地域情報と希望地域情報の属するそれぞれの放送エリアを特定する（Ｓ３５０２）。コンテンツ指定情報に、元位置情報も希望位置情報も付与されていなかったときは、この放送エリア特定ステップＳ３５０２は行わなくてもいいことは言うまでもない。
【０１７８】
放送エリア特定ステップＳ３５０２でそれぞれ特定された放送エリア同士を比較し（Ｓ３５０３）、放送エリアが同じならば受信したコンテンツ情報をそのまま放送エリアＢとともに返信する情報を生成する（Ｓ３５０９）。
【０１７９】
同じでなければ、まず元位置情報が属する放送エリアの放送コンテンツ一覧表からコンテンツ指定情報の示すコンテンツを特定し、コンテンツの情報を取得する放送情報特定ステップを行う（Ｓ３５０４）。次に取得した放送情報を放送エリアＢの放送コンテンツ一覧表のなかから検索し、放送エリアＢにおける放送情報、特に放送開始時間と放送チャンネルを取得する（Ｓ３５０５）。ここからコンテンツ指定情報を作り出すために、元のコンテンツ指定情報が示した元地域情報が属する放送エリアにおける放送開始時間を取得し（Ｓ３５０６）、元のコンテンツ指定情報に含まれていたコンテンツ指定時刻との差分を取り、希望地域情報の属する放送エリアにおけるコンテンツの放送開始時間に加算する（Ｓ３５０７）。
【０１８０】
こうすることで、元のコンテンツ指定時間が希望地域情報の属する放送エリアではどの時間になるかを計算することができる。こうして得た新たなコンテンツ指定時間と放送チャンネルで新たなコンテンツ指定情報を生成し、さらに希望位置情報を付与して返信用の情報を生成する（Ｓ３５０８）。
【０１８１】
Ｓ３５０９およびＳ３５０８において、希望位置情報は、変換依頼元であるコンテンツ指定指示装置１やコンテンツ視聴指示装置２が把握している情報であるので、希望位置情報を付与しなくてもよい。
【０１８２】
コンテンツ情報サーバ３がコンテンツ指定指示装置１やコンテンツ視聴指示装置２とやり取りする情報の例について図２８を用いて説明する。
【０１８３】
コンテンツ情報サーバ３は、コンテンツ指定情報と元地域情報と希望地域情報を２６０１のように例えばＵＲＬの形式に則り、コンテンツ指定チャンネル「ｔｖ：／／８．ｖｈｆ／」、コンテンツ指定時間「２００３年８月２０日２１時３５分」、に加えて、元地域情報（ｓｒｃａｒｅａ）が奈良（ｎａｒａ）、希望地域情報（ｄｅｓｔａｒｅａ）が福岡（ｆｕｋｕｏｋａ）と続いている。このＵＲＬからコンテンツ指定情報と元地域情報および希望地域情報を取得し、処理を行う。このＵＲＬには、さらに２６０２のように番組の開始時間（ｓｔａｒｔ）や終了時間（ｅｎｄ）があっても構わない。
【０１８４】
図２７に示した処理によって希望地域情報の属する放送エリアの放送スケジュールに変換したコンテンツ指定情報は、２６０３のように、再びＵＲＬの形式に整形して返信する。このとき、コンテンツ指定情報をどの地域に合わせて作成したかを明示しておくことが望ましい（ａｒｅａ＝ｆｕｋｕｏｋａ）。もし、放送情報検索ステップにおいて、希望地域情報の属する放送エリアにてコンテンツ指定情報の示すコンテンツが放送されないと判断されたときは、受信した情報をそのまま送り返す、もしくは「検索結果なし」などで、放送されない旨を返信することが望ましい。その場合は２６０４に示したように受信したコンテンツ指定情報をそのまま変換せずに、地域情報を元地域情報のまま付与して送信してもよい。
【０１８５】
ここでは元位置情報の示す場所におけるコンテンツ指定情報を、希望位置情報の示す場所におけるコンテンツ指定情報に変換する例を示した。同様に、例えば、図２５に示したようなコンテンツ提供スケジュールを、地上波デジタル放送、地上波アナログ放送、衛星放送、モバイル機器向け放送など、放送形態別に記憶し、それぞれの放送形態の間で同一内容のコンテンツがあった場合、それらが同じタイトル、同じ出演者などで同一であることが認識できるように記憶する、あるいは、前述のように、コンテンツ情報サーバ３内で一意に決まるＩＤを割り当てておくことで、希望する放送形態向けのコンテンツ情報に変換して返送することが可能となる。
第２の実施の形態におけるコンテンツ指定指示装置１について説明する。
第２の実施の形態におけるコンテンツ指定指示装置１の機能構成を図２９に示した。ここに示したとおり、コンテンツ指定指示装置１においては、第１の実施の形態の構成に対して、自位置情報取得部１６０９および番組情報取得部１６０８内に放送エリア取得部１６０８１をさらに備えている。
【０１８６】
自位置情報取得部１６０９はＧＰＳセンサ５０９（図１０）で、番組情報取得部１６０８および放送エリア取得部１６０８１はメモリ５０１（図１０）あるいはＣＰＵ５０２（図１０）で、それぞれ構成される。
【０１８７】
コンテンツ蓄積部１６０６内のコンテンツ蓄積情報記憶部１６０６１で記憶しているコンテンツ蓄積情報は、図３０に示した方法で記憶されていればよい。
【０１８８】
蓄積開始時刻（最左列）、蓄積終了時刻（第２列）、放送チャンネル（第３列）のほかに、放送されていた位置情報を記憶する（最右列）ことが望ましい。この例では位置情報を記憶しているが、放送エリアでもかまわない。また、位置情報は必ずしも記憶する必要はなく、どこの地域で視聴しても関係ないような、例えばインターネット上のホームページや、放送を蓄積したのではなくビデオカメラなどで自分で撮影したものなどは、地域情報を記憶しなくてもよい。もちろん、上記インターネット上のホームページであっても地域限定で公開されている情報などは、位置情報あるいは地域情報あるいは放送エリアなどを記憶しておくことが望ましい。
【０１８９】
コンテンツ指定指示装置１がコンテンツ指定情報を作成する流れについて図４および図３１を用いて説明する。
【０１９０】
第１の実施例と同様に、「情報送信」ボタンを押すと（Ｓ１７２０）、視聴コンテンツ管理部１６０７１にて管理している視聴履歴を提示し（Ｓ１７２１）、送信したいコンテンツをユーザに選択するよう促す。図４に示したステップのうち、第１の実施例と異なるステップはＳ１７２７である。
【０１９１】
第２の実施例では、Ｓ１７２７において、選択されたコンテンツの視聴開始時間と視聴終了時間を取得するとともに、選択されたコンテンツを見ていた場所の位置情報を取得し、図３１のＳ２９０３に進む。ここで、視聴コンテンツ管理部１６０７１では、図３に示したようなチャンネル切り替え時間とチャンネルの他、視聴場所をも記憶することが望ましいが、記憶していない場合には、「情報送信」ボタン押下時にコンテンツ指定指示装置１が存在している場所の位置情報で代用しても構わない。
【０１９２】
図３１に示した第２の実施例における「現在視聴中のコンテンツを送信」ステップは、まず、第１の実施例と同様に、視聴コンテンツ管理部１６０７１に、現在見ているコンテンツについて問い合わせる（Ｓ１７０２）。リアルタイム放送を見ていたときは、時刻計測部１６０２からボタンが押下された時刻を取得し（Ｓ１７０３）、視聴しているコンテンツを提供している放送チャンネルを取得し（Ｓ１７０４）、自位置情報取得部１６０９からコンテンツ指定指示装置１が置かれている場所の位置情報を取得する（Ｓ２９０１）。
【０１９３】
リアルタイム放送ではなく、ＷＷＷ上のコンテンツを見ていたときは、第１の実施例と同様に、ボタン押下絶対時刻を取得し（Ｓ１７１１）、コンテンツのＵＲＩを取得し（Ｓ１７１２）、自位置情報取得ステップＳ２９０１へ進む。このＷＷＷを見ていたときの処理においては、ボタン押下絶対時刻取得ステップＳ１７１１や自位置情報取得ステップＳ２９０１は行わなくてもよい。
【０１９４】
リアルタイム放送ではなく蓄積コンテンツを見ていたときは、ビデオの蓄積開始時刻と「情報送信」ボタンが押されたときにどこを再生していたかを取得し（Ｓ１７０５）、取得した再生時間とコンテンツ蓄積情報記憶部１６０６１から取得した蓄積開始時刻から、もしビデオではなくリアルタイムに番組を見ていたとしたらいつボタンを押したことになるのかを計算し、ボタン押下絶対時刻とする（Ｓ１７０５）。併せてビデオが放映されていたチャンネルを取得する（Ｓ１７０７）。そして、コンテンツ蓄積情報記憶部１６０６１から、ビデオが放映されていた位置情報を取得する（Ｓ２９０２）。
【０１９５】
このＳ１７０３、Ｓ１７０４、Ｓ１７０５、Ｓ１７０６、Ｓ１７０７は第１の実施例と同じ処理である。その後、送信先であるコンテンツ視聴指示装置２の置かれている場所の位置情報に合わせた番組情報に変換するかを決め（Ｓ２９０３）、合わせるときには（Ｓ２９０３でＹＥＳ）、送信先の位置情報を取得し（Ｓ２９０４）、送信先の位置情報に番組情報を合わせる処理を行う（Ｓ２９０５）。詳しくは、コンテンツ蓄積情報記憶部１６０６１で記憶している、コンテンツを蓄積した場所の位置情報（図３０第３列）を「元位置情報」として、送信先の位置情報を「希望位置情報」として、コンテンツ情報サーバ３に対してコンテンツ指定情報の変換処理を依頼し、受信した変換結果をコンテンツ指定情報とすればよい。
【０１９６】
こうして取得したボタン押下絶対時刻と放映チャンネルからコンテンツ指定情報を構成し、送信先の位置情報あるいはコンテンツ指定指示装置１の置かれている場所の位置情報と併せて、コンテンツ視聴指示装置２に送信する情報を作成する（Ｓ１７０８´）。この、送信先の位置情報の示す位置におけるコンテンツ指定情報へ変換する方法として、コンテンツ情報サーバ３に変換依頼する代わりに、コンテンツ指定指示装置１の内部で、コンテンツ情報サーバ３が保持している位置情報と番組放送エリアの対応表や各放送エリアにおける放送スケジュールの情報を記憶しておき、記憶内容を参照することで、コンテンツ指定指示装置１内で変換しても構わない。
【０１９７】
コンテンツ指定指示装置１が作成し、コンテンツ視聴指示装置２に送信するコンテンツ指定情報と地域情報の例について図３２に示した。
【０１９８】
ここでは、図９での例に合わせ、２００３年８月２０日２１：３５にコンテンツ指定指示装置１の「情報送信」つまりコンテンツ指定の指示が出され、このとき見ていたコンテンツがＶＨＦの８チャンネル（名称：シカテレビ）で提供されていた同日２１：００〜２１：５５に放送された「無駄な泉」という番組であったと仮定している。なお、シカテレビは奈良県の放送局であるとしている。１９０１´は「チャンネルはＶＨＦの８ｃｈ、２００３年８月２０日２１：３５」というコンテンツ指定情報と「位置情報（ａｒｅａ）は奈良」をメッセージに含む例である。
【０１９９】
これに対して、コンテンツ指定情報に加えて番組情報取得部１６０８（図２９）にて取得した番組の開始時刻と終了時刻を含めた例を１９０２´に、「８ｃｈ」という表現をテレビ局名（本例ではシカテレビ）で表現した例を１９０３に示した。ここでは、「シカテレビ」が「奈良」という位置情報を示しているに等しいので「ａｒｅａ＝ｎａｒａ」の情報は省いている。これらのコンテンツ指定情報とその付加情報を含めたメッセージをコンテンツ指定指示装置１で作成し、受け取ったコンテンツ視聴指示装置２での表示例が１９０５´である。１９０１´〜１９０３´の指定情報および付加情報をそのまま見せて、ユーザに視聴するコンテンツを選択してもらう表示である。もちろん、図９に示した１９０４や１９０６の表示のように、コンテンツ指定情報や地域情報を表示しなくても構わない。また、コンテンツ情報サーバ３に送信するコンテンツ指定情報の変換要求は図２８の２６０１，２６０２に示したので説明は割愛する。
【０２００】
第２の実施の形態におけるコンテンツ視聴指示装置２について説明する。
【０２０１】
図３３は、コンテンツ視聴指示装置２の機能構成を示している。
【０２０２】
コンテンツ視聴指示装置２は、第１の実施の形態における機能の構成に加え、自位置情報取得部４１３、さらに番組情報取得部４０９に放送エリア取得部４０９１を備えている。自位置情報取得部４１３はＧＰＳセンサ５０９（図１０）で、放送エリア取得部４０９１はメモリ５０１あるいはＣＰＵ５０２（図１０）でそれぞれ構成される。この２つの追加機能を用いて、
コンテンツ視聴指示装置２は、図１３および図３４に示した手順でコンテンツ指定情報入りのメッセージを処理する。
【０２０３】
メッセージを受信して（Ｓ６０１）、受信したメッセージにコンテンツ指定情報が含まれるかどうか判断し（Ｓ６０２）、含まれていないなら（Ｓ６０２でＮＯ）通常のメッセージ記憶処理を行う（Ｓ６０６）ステップまでは図１３に示したコンテンツ視聴指示装置の第１の実施例と同じであるので図３４には記載していない。受信したメッセージにコンテンツ指定情報が含まれていたときに（Ｓ６０２でＹＥＳ）行う処理が図１３に示した第１の実施例と異なる。
【０２０４】
図３４には、受信したメッセージにコンテンツ指定情報が含まれていたと判断されたところ（図１３のＳ６０２でＹＥＳ）からを記載した。
【０２０５】
本例では、コンテンツ視聴指示装置２のコンテンツ指定情報取得部４０３は、コンテンツ指定情報を取得するステップにおいて、コンテンツ指定情報とともに受信した仮位置情報Ｐ１も取得する（Ｓ６０３’）。仮位置情報とは、コンテンツ指定情報とともにメッセージに含まれていた位置情報を指すこととする。そして、自位置情報取得部４１３を用いてコンテンツ視聴指示装置２が置かれている場所の位置情報Ｐ２（以下「自位置情報」）を取得する（Ｓ２２０１）。このステップＳ２２０１は必ずしもＳ６０３’の後に行われなければならないわけではなく、コンテンツ視聴指示装置２の置かれる場所が移動されたときに自動的に自位置情報を取得し、保持していてもかまわない。
【０２０６】
ここで、番組情報取得部４０９内の放送エリア取得部４０９１は前記コンテンツ情報とともに受信した仮位置情報Ｐ１と自位置情報Ｐ２のそれぞれの位置が属する放送エリアを取得し、比較する（Ｓ２２０２）。
【０２０７】
この放送エリアの取得の方法は、コンテンツ視聴指示装置２の内部で保持されている位置情報と番組放送エリアの対応表を参照する方法でもかまわないし、放送エリアを把握する何らかのサーバ、例えばコンテンツ情報サーバ３に位置情報を送信して放送エリアを問い合わせる方法でもかまわない。もちろん、前者の方法であれば、コンテンツ視聴装置２内に対応表を保持する必要があることは言うまでもない。放送エリアの比較の結果、両者とも同じ放送エリアであると判断された場合（Ｓ２２０２でＹＥＳ）、図１３のＳ６０４と同じ要領で番組情報取得部４０９はコンテンツ指定情報が指定するコンテンツの番組情報を得る。
【０２０８】
放送エリアの比較の結果、両者の放送エリアが違うと判断された場合（Ｓ２２０２でＮＯ）、番組情報取得部４０９は、コンテンツ情報サーバ３に対し、仮位置情報Ｐ１と自位置情報Ｐ２の両者を元位置情報、希望位置情報として、受信したコンテンツ指定情報と一緒に送信することで、変換結果をコンテンツ情報サーバ３から得る（Ｓ６０４´）。この、Ｓ６０４´の処理である、コンテンツ視聴指示装置２の場所に応じたコンテンツ指定情報へ変換する方法として、コンテンツ情報サーバ３に変換依頼する代わりに、コンテンツ視聴指示装置２の内部で、コンテンツ情報サーバ３が保持している位置情報と番組放送エリアの対応表や各放送エリアにおける放送スケジュールの情報を記憶しておき、記憶内容を参照することで、コンテンツ視聴指示装置２で変換しても構わない。
【０２０９】
その後、受信したコンテンツ指定情報あるいはＳ６０４’で取得したコンテンツ指定情報とＳ６０４あるいはＳ６０４´で取得した番組情報および自位置情報をあわせてコンテンツ指定情報記憶部４０６にて記憶する（Ｓ６０５´）。
【０２１０】
この図３４に示した方法は、コンテンツ指定情報受信時に、自位置情報に基づいてコンテンツ指定情報を修正する方法のため、コンテンツ視聴指示装置２が放送エリア内外をほとんど移動しない場合に有効である。コンテンツ視聴指示装置２が放送エリアをほとんど移動しないならば、コンテンツ視聴指示を行った後の視聴動作に関して、第１の実施例である図１６および図１７と同じ処理でコンテンツ視聴を行うことができる。
【０２１１】
コンテンツ視聴指示装置２が放送エリア内外をよく移動する、例えば小型テレビ、携帯電話、ＰＤＡ（Ｐｅｒｓｏｎａｌ  Ｄｉｇｉｔａｌ  Ａｓｓｉｓｔａｎｔ）のような可搬性の高い装置で構成される場合に好ましい方法について説明する。
【０２１２】
図３５は、コンテンツ視聴指示装置２がコンテンツ指定情報を含んだコンテンツを受信したときの処理の流れを示している。
【０２１３】
コンテンツ視聴指示装置２のコンテンツ指定情報取得部４０３がコンテンツ指定情報を取得し、同封されていた仮位置情報を取得するステップ（Ｓ６０３´）までは図３４に示した方法と同じであるので図３５では省いた。Ｓ６０３´にてコンテンツ指定情報（コンテンツ指定チャンネル、コンテンツ指定時間）と仮位置情報を取得すると、番組情報取得部４０９は、仮位置情報におけるコンテンツ指定時間、コンテンツ指定チャンネルの放送番組に関する情報を取得し（Ｓ６０４´´）、コンテンツ指定情報、番組情報とともに、仮位置情報をコンテンツ指定情報記憶部４０６に記憶する（Ｓ６０５´´）。
【０２１４】
この、コンテンツ視聴指示装置２がコンテンツ指定情報を含んだコンテンツを受信したとき、受信したコンテンツ指定情報が示すコンテンツが受信時にリアルタイムに放送しているかどうか調べ、もし、リアルタイム放送であればすぐに視聴できるよう促してもよい例を図３６に示す。
【０２１５】
図３６を参照して、コンテンツ指定情報からコンテンツ指定チャンネル、コンテンツ指定時間および仮位置情報を取得し（Ｓ６０３´）、ここでコンテンツ視聴指示装置２が置かれている場所（自位置情報）を取得する（Ｓ２２０１）。
【０２１６】
ここで、図３４に示した処理と同様に仮位置情報と自位置情報の放送エリアを比較し、自位置情報にあわせた番組情報を取得する（Ｓ２２０２、Ｓ６０４、Ｓ６０４´）。この後、時刻計測部４０２において現在時刻を取得し（Ｓ１００１）、Ｓ６０４あるいはＳ６０４´で取得した放送開始時間から放送終了時間の間に現在時刻が入るかどうか、すなわちコンテンツ指定情報が指定するコンテンツが自位置において放送中かどうかを調べ（Ｓ１００２）、放送中であれば指定されたチャンネルに切り替え（Ｓ１００３）、放送時間外であれば図３５のＳ６０５´´と同様にコンテンツ指定情報と番組情報と仮位置情報を併せてコンテンツ指定情報記憶部４０６に記憶する。
【０２１７】
上記コンテンツ指定情報記憶部４０６に記憶したコンテンツ指定情報と仮位置情報から選んでコンテンツ視聴する方法について図３７を用いて説明する。
【０２１８】
図３７を参照して、コンテンツ指定情報視聴指示を受けると（Ｓ９０１）、コンテンツ指定情報記憶部４０６からコンテンツ指定チャンネル、コンテンツ指定時間を取得し、合わせて仮位置情報を取得する（Ｓ９０２）。
【０２１９】
そして、コンテンツ視聴指示装置が置かれている場所の情報（自位置情報）を取得し（Ｓ２２０１）、自位置情報、取得したコンテンツ情報および仮位置情報から、コンテンツ指定情報によって指定されたコンテンツが自位置においていつ放送されるかを取得する（Ｓ２２０２、Ｓ６０４、Ｓ６０４´）。そして、現在時刻を取得し（Ｓ９０３）、現在時刻と取得した自位置でのコンテンツ指定情報の指定するコンテンツの番組放送時間とを比較し（Ｓ９０５）、放送中であればコンテンツ指定チャンネルにチャンネルを切り替え（Ｓ９０６２）、放送後であればコンテンツ指定情報が指定しているコンテンツを蓄積していないかを調べ（Ｓ９０６１）、放送前であれば録画予約を実行する（Ｓ９０６３）。
【０２２０】
このＳ９０６１，Ｓ９０６２，Ｓ９０６３の各ステップは、前述した第１の実施例と同様の処理を行い、コンテンツが蓄積されていないか調べたり、コンテンツ指定チャンネルに切り替えたり、録画予約を実行する。なお、実際に録画をする記憶部４１０がコンテンツ視聴指示装置２から分離可能な場合、録画予約をする前に、今一度記憶部（記憶装置。ＨＤＤレコーダなど）が置かれている場所においてコンテンツ指定情報が指定するコンテンツが放送される予定を取得し、録画予約処理を行うことが望ましい。
【０２２１】
第２の実施例における最も大きな特徴は、図３４、図３６、図３７に示したＳ２２０２、Ｓ６０４、Ｓ６０４´の、仮位置情報を元としたコンテンツ指定情報が指定するコンテンツがコンテンツ視聴指示装置２の置かれた場所（自位置）においていつ放送されるのかを調べるステップを、コンテンツ指定情報を含んだコンテンツを受信したとき、あるいはコンテンツの視聴を実行するときのいずれかに行うところである。
【０２２２】
このステップを設けることで、コンテンツ指定指示装置１はコンテンツ視聴指示装置２の置かれる場所を気にせずにコンテンツ指定情報を含んだコンテンツを送ることが容易となる。
【０２２３】
本実施例において、コンテンツ指定情報記憶部４０６はコンテンツ指定情報と番組情報を記憶するとともに位置情報、少なくとも放送エリアを図３８に示すように記憶するが、記憶される放送エリアは、仮位置情報あるいは自位置情報に統一して記憶する（２６１）、もしくは仮位置情報なのか自位置情報なのかを区別して記憶してもよい（２６２）。２６２は、仮位置情報ならば「放送エリア」にて（仮）と明記して記憶している。この「（仮）」を必ずしも使用する必要はなく、仮位置情報なのか自位置情報なのかが区別することができれば、他の方法でもかまわないことは言うまでもない。
【０２２４】
本例では、コンテンツ指定情報を送信する送信先についての情報（メールアドレスなど）および地域情報はコンテンツ指定指示装置１で記憶し、コンテンツ指定指示装置１がコンテンツ情報サーバ３に対しコンテンツ指定情報と相手の地域情報（コンテンツ情報サーバ３における「希望地域情報」）を送信、コンテンツ情報サーバが相手の地域情報に合わせたコンテンツ指定情報をコンテンツ指定指示装置１に返信し、その結果をコンテンツ指定指示装置１がコンテンツ視聴指示装置２へ送信する方法を示した（図３９（ａ））。
【０２２５】
さらに、コンテンツ指定指示装置１がコンテンツ視聴指示装置２にコンテンツ指定情報を送信し、コンテンツ視聴指示装置２が視聴指示を出すとき、つまりコンテンツを視聴するときに、コンテンツ指定情報、コンテンツ指定情報とともに受け取った地域情報、コンテンツ視聴指示装置２の場所を示す位置情報をコンテンツ情報サーバ３に送信し、コンテンツ情報サーバ３は、受け取ったコンテンツ指定情報をコンテンツ視聴指示装置２の場所を示す位置情報に合わせて送信、コンテンツ視聴指示装置２はコンテンツ視聴指示装置２の置かれた場所に直されたコンテンツ視聴情報を用いてコンテンツを視聴することができる方法も示した（図３９（ｂ））。
【０２２６】
ここで、コンテンツ指定指示装置１が、送信先の情報とコンテンツ指定情報を全てコンテンツ情報サーバ３に送信し、コンテンツ情報サーバ３は、変換したコンテンツ指定情報をコンテンツ指定指示装置１に送り返さずに、代わりにコンテンツ視聴指示装置２に送ってしまってもよい（図３９（ｃ））。
【０２２７】
このときコンテンツ情報サーバ３は、送信先の情報として、送信先のアドレスに加え、送信先の位置情報をコンテンツ指定指示装置１から取得しておくことが望ましい。ならびに、コンテンツ情報サーバ３は、コンテンツ指定指示装置１自身の位置情報を取得しておく必要があることは言うまでもない。コンテンツ情報サーバ３がコンテンツ視聴指示装置２への送信を代行することで、コンテンツ情報サーバ３の運営者がコンテンツ指定情報とともに広告などをコンテンツ視聴指示装置２に送信することができる。
【０２２８】
コンテンツ情報サーバ３は、一度コンテンツ指定情報の送信依頼を受けたときに、送信依頼を行なった依頼元、依頼元の位置情報、コンテンツ指定情報の送信先、ならびに送信先の位置情報を関連付けて記憶しておくことで、次回以降、同じ送信先にコンテンツ指定情報を送信するときに、これらの情報を再び使用してもよい。また、コンテンツ情報サーバ３がＷＷＷサーバとして機能し、コンテンツ指定情報を含めた番組情報を掲載したホームページを公開し、コンテンツ視聴指示装置２からのコンテンツ指定情報の選択指示により、該選択指示を出したコンテンツ視聴指示装置２の位置情報を取得し、コンテンツ視聴指示装置２の置かれている場所の放送エリアに合わせたコンテンツ指定情報をコンテンツ視聴指示装置２に送信し、コンテンツ視聴指示装置２がコンテンツの視聴を行ってもよい。
【０２２９】
（第３の実施の形態）
以上説明した本発明の装置の具体例について説明する。
【０２３０】
図４０には、映像表示装置３８１と映像表示装置３８１をコントロールするコントローラ３８２を示している。
【０２３１】
コントローラ３８２は、少なくとも、情報送信ボタン３８２１および、映像表示装置３８１もしくはコントローラ３８２内にディスプレイなどの映像出力部３８２６を備えている場合は映像出力部３８２６内に表示されている物体やポインタやカーソルなどを指示するための上方向キー３８２２、下方向キー３８２４、さらに、決定ボタン３８２３を備えることが望ましい。もちろん、場合によって左右方向に指示するキーや、水平面方向、あるいは三次元空間内の物体移動を指示するようなデバイスを備えていてもかまわない。
【０２３２】
さらに、数字ボタン３８２５を備え、映像表示装置３８１あるいは映像出力部３８２６内に番号つきで表示された選択肢から一つあるいは複数個を選択するような入力を行ってもよい。さらに、英字キーやひらがなキーなども備えてもよい。このコントローラ３８２は赤外線やＢｌｕｅＴｏｏｔｈなどの無線通信あるいは有線通信を用いて映像表示装置３８１を操作する。また、コントローラ３８２は映像表示装置３８１から、映像表示装置３８１がどの番組を表示しているかなどの情報を受け取ってもよい。この映像表示装置３８１とコントローラ３８２との組み合わせによって、本発明のコンテンツ指定指示装置１やコンテンツ視聴指示装置２を構成する。図４０では映像を表示する装置として例示したが、場合によっては音声だけを出力するような装置であっても構わないことは言うまでもない。
【０２３３】
図４１は、コンテンツ指定指示装置１をテレビジョン装置として構成する例を示している。
【０２３４】
本テレビジョン装置は、通常のテレビジョン装置の機能である映像を出力する映像出力部５０５、音声出力部５０５、および放送局４から放送波を受信するチューナー５０７、リモコン信号を受け取る操作信号受信部５０６を備えている。映像出力部５０５および音声出力部５０５は出力部１６０４として、操作信号受信部５０６はユーザ指示入力受付部１６０５として機能する。チューナー５０７は、コンテンツを受信するための経路として用いられる。
【０２３５】
これにさらに、メッセージ作成部１６０１、コンテンツ指定情報作成部１６０１１、時刻計測部１６０２、番組情報取得部１６０８、放送エリア取得部１６０８１、視聴コンテンツ管理部１６０７１として機能するＣＰＵ５０２、コンテンツ指定情報送信先記憶部１６０１２、コンテンツ蓄積部１６０６、コンテンツ蓄積情報記憶部１６０６１として機能する記憶装置５０３、自位置情報取得部１６０９として機能するＧＰＳアンテナ５０９、およびネットワークＩ／Ｆとして機能するネットワーク接続回路１６０３を備える。
【０２３６】
ユーザ指示入力受付部１６０５である操作信号受信部５０６がユーザからの「情報送信」信号を受け取ると、コンテンツ指定情報作成部１６０１１であるＣＰＵが時刻計測部１６０２にて現在時刻を取得し、視聴コンテンツ管理部１６０７１に現在視聴中のコンテンツを問い合わせ、場合によってはコンテンツ蓄積情報記憶部１６０６１に問い合わせることによってコンテンツ指定情報を生成し、場合によっては自位置情報取得部１６０９にコンテンツ指定指示装置１の置かれている場所を問い合わせ、番組情報取得部１６０８を通じてコンテンツ指定情報の指定する番組情報を取得したり、コンテンツ情報サーバ３に対してコンテンツ指定情報を地域に合わせたりして、結果得たコンテンツ指定情報をネットワークＩ／Ｆであるネットワーク接続回路５０４を通じてコンテンツ指定情報送信先記憶部１６０１２である記憶装置５０３にて記憶している送信先に対して送信する。
【０２３７】
さらに、この例に、携帯通信網や電話網と通信する手段を備えると、テレビチューナー付携帯電話として機能することもできる。
【０２３８】
図４２は、コンテンツ視聴指示装置２をテレビジョン装置として構成するときの例である。
【０２３９】
本装置は図４１同様に通常のテレビジョン装置の機能である映像を出力する映像出力部５０５、音声出力部５０５、および放送局４から放送波を受信するチューナー５０７、リモコン信号を受け取る操作信号受信部５０６を備えている。映像出力部５０５および音声出力部５０５は出力部１６０４として、操作信号受信部５０６はユーザ指示入力受付部１６０５として機能する。チューナー５０７は、コンテンツを受信するための経路として用いられ、さらに後述するＣＰＵ５０２からの指示によりチャンネルを切り替えるチャンネル切り替え部４１１としても機能する。さらに、メッセージ受信部４１２、コンテンツ受信部４０７、コンテンツ制御部４０１、コンテンツ指定情報取得部４０３、番組情報取得部４０９、放送エリア取得部４０９１、時刻計測部４０２として機能するＣＰＵ５０２、コンテンツ蓄積部４１０、コンテンツ蓄積情報記憶部４１００１、コンテンツ指定情報記憶部４０６として機能する記憶装置４１０、ネットワークＩ／Ｆとして機能するネットワーク接続回路５０４、自位置情報取得部４１３として機能するＧＰＳアンテナ５０９を備えている。
【０２４０】
ネットワーク０を通じて、ネットワークＩ／Ｆであるネットワーク接続回路５０４にてコンテンツ指定情報が含まれたメッセージをメッセージ受信部４１２が受信すると、コンテンツ指定情報取得部４０３がメッセージ内のコンテンツ指定情報を取得し、コンテンツ指定情報記憶部４０６である記憶装置５０３に記憶する。
【０２４１】
ユーザによる視聴指示をユーザ指示入力受付部４０５である操作信号受信部５０６にて受信すると、コンテンツ制御部４０１は、受信したユーザ指示に従って、時刻計測部４０２、コンテンツ蓄積情報記憶部４１００１を用い、場合によっては番組情報取得部４０９や自位置情報取得部４１３を用いてコンテンツ視聴を行う。
【０２４２】
コンテンツ指定指示装置１とコンテンツ視聴指示装置２は、必ずしも別の装置である必要はなく、一つの装置の中に両者の機能を兼ね備えていても構わない。
【０２４３】
図４３には、コンテンツ指定指示装置１としてもコンテンツ視聴指示装置２としても機能するテレビジョン装置の例を示している。
【０２４４】
コンテンツ指定指示装置１にもコンテンツ視聴指示装置２にも必要な機能である番組情報取得部４０９（１６０８１）、放送エリア取得部４０９１（１６０８１）、コンテンツ蓄積部４１０（１６０６）、コンテンツ蓄積情報記憶部４１００１（１６０６１）、ユーザ指示入力受付部４０５（１６０５）はそれぞれ一つで構わない。本テレビジョン装置は、外部から受信したコンテンツ指定情報の指定するコンテンツを視聴することも可能であるし、外部へコンテンツ指定情報を生成し送信することも可能となる。
【０２４５】
図４４には、コンテンツ指定指示装置１およびコンテンツ視聴指示装置２の両者の機能を備えるＰＶＲ（Ｐｅｒｓｏｎａｌ  Ｖｉｄｅｏ  Ｒｅｃｏｒｄｅｒ）として構成した装置の例を示した。
【０２４６】
映像出力部５０５および音声出力部５０５の両出力部は、本ＰＶＲに接続されたテレビジョン装置などの映像表示装置およびステレオ装置などの音声提示装置へ映像信号や音声信号を出すよう機能する。
【０２４７】
このＰＶＲは、操作信号の送受信を操作信号送受信部５０６が行い、ユーザ指示入力受付部４０５（１６０５）として機能する部分は、リモコン装置からなどのユーザ入力信号を受け付けるほか、接続されたテレビジョン装置やステレオ装置などの外部機器を操作するための操作信号を送信する。この操作信号は、コンテンツ制御部４０１によって行われる。
【０２４８】
図４５には、コンテンツ指定指示装置１およびコンテンツ視聴指示装置２の両者の機能を備えるコントローラと、このコントローラによって操作されるＰＶＲの例を示している。
【０２４９】
図４５にもネットワーク０および放送局４を示すべきであるが、紙面の都合により割愛した。コントローラは、コンテンツ受信部４０７、メッセージ受信部４１２、時刻計測部４０２（１６０２）、コンテンツ制御部４０１、コンテンツ指定情報取得部４０３、番組情報取得部４０９（１６０８）、放送エリア取得部４０９１（１６０８１）、メッセージ作成部１６０１、およびコンテンツ指定情報作成部１６０１１として機能するＣＰＵ５０２、コンテンツ指定情報記憶部４０６およびコンテンツ指定情報送信先記憶部１６０１２として機能する記憶装置５０３、ユーザ指示入力受付部４０５（１６０５）として機能する操作信号送受信部５０６、出力部４０４（１６０４）として機能する映像出力部５０５および音声出力部５０５、自位置情報取得部４１３（１６０９）として機能するＧＰＳアンテナ５０９、およびネットワークＩ／Ｆ４０８（１６０３）として機能するネットワーク接続回路５０４から構成される。
【０２５０】
ネットワーク０を通して外部と通信し、コンテンツ指定情報を取得し、番組情報を取得する機能と、コンテンツ指定指示装置１としての機能であるコンテンツ指定情報生成およびメッセージ作成の機能と、コンテンツ指定情報記憶部４０６に記憶したコンテンツ指定情報の中から一部あるいは全部を映像出力部５０５および音声出力部５０５を通じてユーザに提示し、ユーザに選択指示すなわち視聴指示を促し、ユーザより行われた視聴指示を、操作信号送受信部５０６を通じてＰＶＲに伝える機能を果たす。また、操作信号送受信部５０６を通じて、ＰＶＲの動作状態を知るためにＰＶＲ内の視聴コンテンツ管理部１６０７１に問い合わせてもよい。
【０２５１】
ＰＶＲは、ＰＶＲ本来の機能である、放送波を受信するためのチューナー５０７、コンテンツ蓄積部４１０（１６０６）、コンテンツ蓄積情報記憶部４１００１（１６０６１）として機能する記憶装置５０３、テレビジョン装置やステレオ装置などの外部映像音声出力機器に映像や音声を出力するための出力部４０４（１６０４）として機能するための映像出力部５０５および音声出力部５０５、リモコン装置から操作信号を受け付けるユーザ指示入力受付部４０５（１６０５）として機能するための操作信号送受信部５０６を備える。
【０２５２】
またさらに、コンテンツ制御部４０１、視聴コンテンツ管理部１６０７１、およびコンテンツ受信部４０７として機能するためのＣＰＵ５０２を備え、必要に応じてネットワークＩ／Ｆ４０８（１６０３）を備える。ＰＶＲは、コントローラからの操作信号を操作信号送受信部５０６を通じて受信し、受信した操作信号に応じて、コンテンツ蓄積部４１０（１６０６）内に記憶しているコンテンツを再生したり、チャンネル切り替え部４１１にてチューナー５０７のチャンネルを切り替えるなどして、コンテンツ制御部４０１がコンテンツの制御を行う。
【０２５３】
ＰＶＲはコンテンツ指定指示装置１としての機能より、コンテンツ視聴指示装置２としての機能を果たすところが大きい。本コントローラに、さらに携帯通信網や電話網などと通信する手段を備えると、携帯電話としても機能することができる。
【０２５４】
以上のように、本発明の実施の形態および実施例について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【図面の簡単な説明】
【０２５５】
【図１】本発明の第１の実施の形態における、コンテンツ指定指示装置とコンテンツ視聴指示装置の関係を示す図である。
【図２】本発明の第１の実施の形態における、コンテンツ指定指示装置の機能構成を示す図である。
【図３】視聴コンテンツ管理部が、視聴コンテンツを管理する様子を示した図である。
【図４】コンテンツ指定指示装置が行なう、「情報送信」指示に基づいた処理の流れを示すフローチャートである。
【図５】視聴コンテンツ管理部が管理する視聴コンテンツをユーザに提示する際の、画面の一例を示す図である。
【図６】コンテンツ指定指示装置が行なう、「現在視聴中のコンテンツを送信」する指示に基づいた処理の流れを示すフローチャートである。
【図７】コンテンツ蓄積部で記憶するコンテンツに関する情報を、コンテンツ蓄積情報記憶部にて記憶する様子を示した図である。
【図８】ボタン押下からメッセージ送信までのコンテンツ指定指示装置の表示の一例を示した図である。
【図９】コンテンツ指定情報の例と、コンテンツ視聴指示装置でのコンテンツ指定情報が含まれたメールコンテンツやホームページなどのＷＷＷコンテンツの表示例および視聴指示例を示す図である。
【図１０】本発明の実施の形態における、コンテンツ指定指示装置およびコンテンツ視聴指示装置の物理的構成を示す図である。
【図１１】本発明におけるコンテンツ視聴指示装置の、大まかな処理の流れを示す図である。
【図１２】本発明の第１の実施例におけるコンテンツ視聴指示装置の、機能構成を示す図である。
【図１３】コンテンツ視聴指示装置が、メッセージを受信したときに行う処理の流れを示すフローチャートである。
【図１４】コンテンツ指定情報記憶部にて記憶する内容のイメージ図である。
【図１５】コンテンツ視聴指示装置がユーザに提示する、コンテンツ指定情報の一覧の表示の一例を示す図である。
【図１６】コンテンツ制御部が行なう、「コンテンツ指定時間と現在時刻がほぼ同じである」ことを判定する具体的な処理の一例を示すフローチャートである。
【図１７】コンテンツ制御部が行なう、メッセージ受信時に放送中のコンテンツに関する情報が含まれているかどうかを判断し、処理する流れを示したフローチャートである。
【図１８】コンテンツ制御部が行なう、チャンネル変更ステップの流れを示したフローチャートである。
【図１９】メッセージ受信、コンテンツ指定情報一覧およびコンテンツ視聴指示に基づいてユーザに提示する表示例を示した図である。
【図２０】コンテンツ指定情報が指定するコンテンツを蓄積していないか調べる処理の流れを示したフローチャートである。
【図２１】コンテンツの蓄積予約を行なう処理の流れを示した図である。
【図２２】本発明の第２の実施の形態における、コンテンツ指定指示装置、コンテンツ視聴指示装置ならびにコンテンツ情報サーバの関係を示す図である。
【図２３】コンテンツ情報サーバの機能構成を示した図である。
【図２４】コンテンツ情報サーバの物理的構成を示した図である。
【図２５】コンテンツ情報記憶部でコンテンツの情報について記憶している様子を示した図である。
【図２６】放送エリア対応記憶部にて記憶している放送エリア対応表の例を示した図である。
【図２７】元地域情報におけるコンテンツ指定情報を受け取ってから希望地域情報におけるコンテンツ指定情報に変換し、返信用の情報を生成するまでの流れを示したフローチャートである。
【図２８】コンテンツ情報サーバ３がコンテンツ指定指示装置やコンテンツ視聴指示装置とやり取りする情報の例を示した図である。
【図２９】第２の実施の形態におけるコンテンツ指定指示装置の機能構成を示す図である。
【図３０】コンテンツ蓄積部内のコンテンツ蓄積情報記憶部で記憶している、コンテンツ蓄積情報の様子を示したイメージ図である。
【図３１】第２の実施の形態におけるコンテンツ指定指示装置が、コンテンツ指定情報を作成する処理の流れについて示したフローチャートである。
【図３２】コンテンツ指定情報と地域情報の例を示す図である。
【図３３】第２の実施の形態における、コンテンツ視聴指示装置の機能構成を示す図である。
【図３４】第２の実施の形態において、コンテンツ指定情報を処理する流れを示したフローチャートである。
【図３５】コンテンツ視聴指示装置がコンテンツ指定情報を含んだコンテンツを受信したときの処理の流れを示したフローチャートである。
【図３６】受信したコンテンツ指定情報が示すコンテンツが受信時にリアルタイムに放送しているかどうか調べ、処理する流れを示したフローチャートである。
【図３７】コンテンツ指定情報記憶部に記憶したコンテンツ指定情報と仮位置情報から選んでコンテンツ視聴する処理の流れを示したフローチャートである。
【図３８】コンテンツ指定情報記憶部が、コンテンツ指定情報と番組情報を記憶するとともに位置情報、少なくとも放送エリアを記憶する例を示したイメージ図である。
【図３９】本発明における、コンテンツ指定指示装置、コンテンツ視聴指示装置ならびにコンテンツ情報サーバの間での情報のやり取りを示すイメージ図である。
【図４０】本発明を実施する、映像表示装置ならびにコントローラの一例を示す図である。
【図４１】コンテンツ指定指示装置を、テレビジョン装置として構成するときのブロック図である。
【図４２】コンテンツ視聴指示装置を、テレビジョン装置として構成するときのブロック図である。
【図４３】コンテンツ指定指示装置ならびにコンテンツ視聴指示装置の両者の機能を兼ね備える装置を、テレビジョン装置として構成するときのブロック図である。
【図４４】コンテンツ指定指示装置ならびにコンテンツ視聴指示装置の両者の機能を兼ね備える装置を、ＰＶＲとして構成するときのブロック図である。
【図４５】コンテンツ指定指示装置ならびにコンテンツ視聴指示装置の両者の機能を兼ね備える装置を、コントローラとして構成するときのブロック図と、前記コントローラによって操作されるＰＶＲのブロック図である。
【符号の説明】
【０２５６】
０  ネットワーク、１  コンテンツ指定指示装置、２  コンテンツ視聴指示装置、３  コンテンツ情報サーバ、１６０１  メッセージ作成部、１６０１１  コンテンツ指定情報作成部、１６０１２  コンテンツ指定情報送信先記憶部、１６０２  時刻計測部、１６０３  ネットワークＩ／Ｆ、１６０４  出力部、１６０５  ユーザ指示入力受付部、１６０６  コンテンツ蓄積部、１６０６１  コンテンツ蓄積情報記憶部、１６０７  コンテンツ制御部、１６０７１  視聴コンテンツ管理部、１６０８  番組情報取得部、１６０８１  放送エリア取得部、３１  コンテンツ情報検索部、３１１  コンテンツ情報記憶部、３１２  放送エリア検索部、３１２１  放送エリア対応記憶部、３２  受信部、３３  送信部、３２０  バス、３２１  メモリ、３２２  ＣＰＵ、３２３  不揮発性メモリ、３２４  ネットワーク接続回路、４０１  コンテンツ制御部、４０２  時刻計測部、４０３  コンテンツ指定情報取得部、４０４  出力部、４０５  ユーザ指示入力受付部、４０６  コンテンツ指定情報記憶部、４０７  コンテンツ受信部、４０８  ネットワークＩ／Ｆ、４０９  番組情報取得部、４０９１  放送エリア取得部、４１０  コンテンツ蓄積部、４１００１  コンテンツ蓄積情報記憶部、４１１  チャンネル切り替え部、４１２  メッセージ受信部、４１３  自位置情報取得部、５００  バス、５０１  メモリ、５０２  ＣＰＵ、５０３  不揮発性メモリ、５０４  ネットワーク接続回路、５０５  出力部、５０６  入力部、５０７  放送受信用チューナー、５０８  タイマー、５０９  ＧＰＳセンサ。
【図１】
2005348365.tif 000003
【図２】
2005348365.tif 000004
【図３】
2005348365.tif 000005
【図４】
2005348365.tif 000006
【図５】
2005348365.tif 000007
【図６】
2005348365.tif 000008
【図７】
2005348365.tif 000009
【図８】
2005348365.tif 000010
【図９】
2005348365.tif 000011
【図１０】
2005348365.tif 000012
【図１１】
2005348365.tif 000013
【図１２】
2005348365.tif 000014
【図１３】
2005348365.tif 000015
【図１４】
2005348365.tif 000016
【図１５】
2005348365.tif 000017
【図１６】
2005348365.tif 000018
【図１７】
2005348365.tif 000019
【図１８】
2005348365.tif 000020
【図１９】
2005348365.tif 000021
【図２０】
2005348365.tif 000022
【図２１】
2005348365.tif 000023
【図２２】
2005348365.tif 000024
【図２３】
2005348365.tif 000025
【図２４】
2005348365.tif 000026
【図２５】
2005348365.tif 000027
【図２６】
2005348365.tif 000028
【図２７】
2005348365.tif 000029
【図２８】
2005348365.tif 000030
【図２９】
2005348365.tif 000031
【図３０】
2005348365.tif 000032
【図３１】
2005348365.tif 000033
【図３２】
2005348365.tif 000034
【図３３】
2005348365.tif 000035
【図３４】
2005348365.tif 000036
【図３５】
2005348365.tif 000037
【図３６】
2005348365.tif 000038
【図３７】
2005348365.tif 000039
【図３８】
2005348365.tif 000040
【図３９】
2005348365.tif 000041
【図４０】
2005348365.tif 000042
【図４１】
2005348365.tif 000043
【図４２】
2005348365.tif 000044
【図４３】
2005348365.tif 000045
【図４４】
2005348365.tif 000046
【図４５】
2005348365.tif 000047